(57)【要約】【課題】仕様書の効率的に作成することができる仕様書作成支援装置及びその制御方法、仕様書作成支援システム、プログラムを提供する。【解決手段】複数の入力項目の各入力項目に対応する属性を入力する入力部（１２１４、１２１５、１２１６）を有する仕様書入力テンプレート画面１２００を生成する。その仕様書入力テンプレート画面の入力部の入力状態に基づいて、現在の仕様書情報入力画面から次の仕様書情報入力画面への移行の是非を判定する。【選択図】　図１２
2004054415.tif 000002
【特許請求の範囲】
【請求項１】
複数の作成段階毎に専用の仕様書情報入力画面を提供して、仕様書の作成を支援する仕様書作成支援装置であって、
複数の入力項目の各入力項目に対応する属性を入力する入力部を有する前記仕様書情報入力画面を生成する生成手段と、
前記生成手段で生成された前記仕様書情報入力画面を表示する表示手段と、
前記仕様書情報入力画面の前記入力部の入力状態に基づいて、現在の仕様書情報入力画面から次の仕様書情報入力画面への移行の是非を判定する判定手段と
を備えることを特徴とする仕様書作成支援装置。
【請求項２】
前記判定手段は、前記仕様書情報入力画面の前記入力部の入力状況に基づいて、現在の仕様書情報入力画面から次の仕様書情報入力画面への移行を許可する
ことを特徴とする請求項１に記載の仕様書作成支援装置。
【請求項３】
前記判定手段は、前記仕様書情報入力画面の前記入力部のすべてに属性が入力された場合に、現在の仕様書情報入力画面から次の仕様書情報入力画面への移行を許可する
ことを特徴とする請求項２に記載の仕様書作成支援装置。
【請求項４】
前記入力部には、必須入力の有無が指定されており、
前記判定手段は、前記必須入力が指定されている入力部のすべてに属性が入力された場合に、現在の仕様書情報入力画面から次の仕様書情報入力画面への移行を許可する
ことを特徴とする請求項２に記載の仕様書作成支援装置。
【請求項５】
前記仕様書情報入力画面は、更に、前記入力項目に対応する属性の入力部への入力が仕掛り中であること示すフラグを入力する仕掛り中フラグ入力領域を更に有し、
前記判定手段は、前記仕掛り中フラグ領域のフラグの入力状況に基づいて、現在の仕様書情報入力画面から次の仕様書情報入力画面への移行を許可する
ことを特徴とする請求項１に記載の仕様書作成支援装置。
【請求項６】
前記判定手段は、前記入力項目に対応する前記仕掛り中フラグ領域のフラグがすべて入力された場合に、現在の仕様書情報入力画面から次の仕様書情報入力画面への移行を許可する
ことを特徴とする請求項５に記載の仕様書作成支援装置。
【請求項７】
前記仕様書情報入力画面は、更に、前記入力項目に対応する属性の入力部への入力内容の完成信頼状況を示す完成信頼度を入力する完成信頼度入力領域を有し、
前記判定手段は、前記完成信頼度入力領域の完成信頼度に基づいて、現在の仕様書情報入力画面から次の仕様書情報入力画面への移行を許可する
ことを特徴とする請求項１に記載の仕様書作成支援装置。
【請求項８】
前記判定手段は、前記入力項目に対応する前記完成信頼度入力領域の完成信頼度がすべて所定値以上である場合に、現在の仕様書情報入力画面から次の仕様書情報入力画面への移行を許可する
ことを特徴とする請求項７に記載の仕様書作成支援装置。
【請求項９】
複数の情報処理端末とサーバとがネットワークを介して相互に接続されて構成され、該情報処理端末と該サーバ間において、複数の作成段階毎に専用の仕様書情報入力画面を提供して、仕様書の作成を支援する仕様書作成支援システムであって、
前記複数の情報処理端末それぞれは、
前記複数の入力項目を有する仕様書情報入力画面を前記サーバから受信する受信手段と、
前記仕様書情報入力画面を表示する表示手段と、
前記仕様書情報入力画面を介して仕様書情報を入力する入力手段とを備え、
前記サーバは、
前記複数の入力項目の各入力項目に対応する属性を入力する入力部を有する前記仕様書情報入力画面を生成する生成手段と、
前記生成手段で生成された前記仕様書情報入力画面を前記情報処理端末へ送信する送信手段と、
前記仕様書情報入力画面の前記入力部の入力状態に基づいて、現在の仕様書情報入力画面から次の仕様書情報入力画面への移行の是非を判定する判定手段とを備えることを特徴とする仕様書作成支援システム。
【請求項１０】
複数の作成段階毎に専用の仕様書情報入力画面を提供して、仕様書の作成を支援する仕様書作成支援装置の制御方法であって、
複数の入力項目の各入力項目に対応する属性を入力する入力部を有する前記仕様書情報入力画面を生成する生成工程と、
前記生成工程で生成された前記仕様書情報入力画面を表示する表示工程と、
前記仕様書情報入力画面の前記入力部の入力状態に基づいて、現在の仕様書情報入力画面から次の仕様書情報入力画面への移行の是非を判定する判定工程と
を備えることを特徴とする仕様書作成支援装置の制御方法。
【請求項１１】
複数の作成段階毎に専用の仕様書情報入力画面を提供して、仕様書の作成を支援する仕様書作成支援装置の制御をコンピュータに機能させるためのプログラムであって、
複数の入力項目の各入力項目に対応する属性を入力する入力部を有する前記仕様書情報入力画面を生成する生成工程のプログラムコードと、
前記生成工程で生成された前記仕様書情報入力画面を表示する表示工程のプログラムコードと、
前記仕様書情報入力画面の前記入力部の入力状態に基づいて、現在の仕様書情報入力画面から次の仕様書情報入力画面への移行の是非を判定する判定工程のプログラムコードと
を備えることを特徴とするプログラム。
【発明の詳細な説明】
【０００１】
【発明の属する技術分野】
本発明は、複数の作成段階毎に専用の仕様書情報入力画面を提供して、仕様書の作成を支援する仕様書作成支援装置及びその制御方法、仕様書作成支援システム、プログラムに関するものである。
【０００２】
【従来の技術】
従来より、パーソナルコンピュータ等の端末を用いて、例えば、基本仕様、設計条件、構想設計、詳細設計等といったドキュメント設計の段階におけるに仕様書を作成することが行われている。
【０００３】
この仕様書の構成について、図１を用いて説明する。
【０００４】
図１は従来の仕様書の構成を示す図である。
【０００５】
１０１は、設計仕様書、生産仕様書、品質仕様書、製造仕様書等の仕様書の構成要素全体である。
【０００６】
１０２は、仕様書１０１の構成要素の表紙である。表紙１０２には、内容（本文）１０５に対する表題、要約等が記述される。
【０００７】
１０３は、仕様書１０１の構成要素の更新履歴である。更新履歴１０３には、表紙１０２、内容（本文）１０５を作成開始から作成終了、または完了に至るまでの追加修正等の記載事項の履歴が記述される。
【０００８】
１０４は、仕様書１０１の構成要素の添付資料である。添付資料１０４には、内容（本文）１０５に関連する補足説明、参考資料、グラフ、画像等の各種データがある。
【０００９】
１０５は、仕様書１０１の構成要素の内容（本文）である。内容（本文）１０５には、表紙１０２に関する詳細説明、数値、グラフ、画像等の各種データの記述、添付、及びリンク先が記述される。
【００１０】
１０６は、仕様書１０１の構成要素である表紙１０２、更新履歴１０３、添付資料１０４、内容（本文）１０５を更に構成する項目、属性等の要素の集合体を示す概念（以下、この概念をテンプレートと呼ぶ）、またそれぞれの捉える範囲を規制する概念（以下、この概念を枠組み、若しくは縛りと呼ぶ）である。
【００１１】
１０７、１０８、１０９、１１０、１１１は、仕様書１０１の構成要素である表紙１０２、更新履歴１０３、添付資料１０４、内容（本文）１０５の構成要素の項目である。項目１０７、１０８、１０９、１１０、１１１は、記述する情報内容の要約名、見出し名等である。例えば、要約名、見出し名とは、車、エンジン、ハンドル等を示す。
【００１２】
１１２、１１３、１１４は、項目１０７、１０８、１０９、１１０、１１１の属性である。属性１１２、１１３、１１４は、項目１０５、１０６、１０７、１０８、１０９、１１０、１１１に対する情報内容の性質名である。例えば、性質名とは、車、エンジン、ハンドル等の物に対する色や形等を示す。
【００１３】
表紙１０２、更新履歴１０３、添付資料１０４、内容（本文）１０５の構成と数は、仕様書１０１の種類により異なる。例えば、仕様書１０１によっては、添付資料１０４を構成要素に含まないものがある。また、例えば、仕様書１０１によっては、表紙１０２、更新履歴１０３、添付資料１０４、内容（本文）１０５を１つにまとめるものがある。
【００１４】
表紙１０２、更新履歴１０３、添付資料１０４、内容（本文）１０５を構成する項目１０７、１０８、１０９、１１０、１１１、及びその属性１１２、１１３、１１４の種類と数は、仕様書１０１の種類により異なる。
【００１５】
□仕様書の作成時間
図２のように、仕様書１０１を作成する時間（若しくは行為）は、仕様書１０１を作成する準備段階の前処理ＴＳ２０１と、仕様書１０１を作成する行為Ｔ２０２と、仕様書１０１を作成した後の承認、公開、保管段階の後処理ＴＥ２０３とに分類できる。
【００１６】
また、仕様書１０１を作成する行為とは、図１の仕様書１０１の構成にあるように、仕様書１０１の構成要素である表紙１０２、更新履歴１０３、内容（本文）１０５の作成、及び必要があれば添付資料１０４を作成（若しくは用意）する行為である。更には、表紙１０２、更新履歴１０３、添付資料１０４、内容（本文）１０５を作成する行為であり、その構成要素である項目１０７、１０８、１０９、１１０、１１１と、その属性１１２、１１３、１１４に対応した情報内容を割り付けることである。
【００１７】
例えば、仕様書１０１の内容（本文）１０５を作成する時間には、Ｔ１２０４の時間が必要である。更に、Ｔ１２０４の時間は、仕様書１０１の内容（本文）１０５のＡ項目１（１０７）を作成するＡ１ｔ２０７と、Ａ項目２（１０８）を作成するＡ２ｔ２０８と、Ｚ項目Ｎ（１１１）を作成するＺｎｔ２０９等の時間が加算されたものである。
【００１８】
更に、Ａ１ｔ２０７の時間は、Ａ項目１（１０７）の入力部である属性１（１１２）を作成するＡ１属性１２１０と、属性２（１１３）を作成するＡ２属性２２１１と、属性ｎ（１１４）を作成するＡ１属性ｎ２１２等の時間が加算されたものである。
【００１９】
□仕様書の作成手順
従来、仕様書１０１の作成手順には、基本的な規制（縛り）がない。作成者が慣習的に作成行為の便利性を配慮し、表紙１０２→内容（本文）１０５→添付資料１０４→更新履歴１０３の手順で作成する場合、または、内容（本文）１０５→表紙１０２→更新履歴１０３→添付資料１０４の手順で作成する場合、または、それぞれを並行作業で作成する場合等様々である。これらの作成手順は、同じ種類の仕様書１０１であっても、作成者毎にその作成手順が異なるし、同じ仕様書の同じ作成者においても、作成する際のもろもろの条件により、その作成手順は異なる。
【００２０】
更に、表紙１０２、更新履歴１０３、添付資料１０４、内容（本文）１０５の構成要素である項目１０５、１０６、１０７、１０８、１０９においても、テンプレートを用いて、作成すべき項目や、入力するべき属性の記述があっても、上からの番号順に項目を作成していかなければならない等の基本的な規制（縛り）がない。つまり、上記の作成手順と同様に項目の作成手順も作成者の慣習に任されている。
【００２１】
この間、作成中の仕様書１０１は積極的に関係者に公開されることがなく、仕様書１０１が作成されるか、若しくは承認者からの承認許可が出され、はじめて公の場に、仕様書１０１が公開されることになる。そのため、作成した仕様書１０１に記述された情報を参照する承認者、若しくは関係者の質問や要望等の行為の盛り込みは、後処理ＴＥに含まれ、後処理の段階に、仕様書１０１の作成を見直すための戻りループが発生する。
【００２２】
【発明が解決しようとする課題】
現在のモノ作りにおけるコンカレントやコラボレーションの推進においては、スピードと品質が重要であり、関連部門へのトリガーとなるのが仕様書１０１である。
【００２３】
しかしながら、従来のモノ作りに合った仕様書の枠組みとその利用方法のままでは、次のような課題があった。
【００２４】
□従来の仕様書作成の課題
第１に、仕様書１０１の作成者は、仕様書１０１の構成要素である表紙１０２、更新履歴１０３、添付資料１０４、内容（本文）１０５や、それらの項目１０７、１０８、１０９、１１０、１１１とに対応する作成手順の規制（縛り）を受けない。そのため、仕様書１０１の作成者により、仕様書１０１の作成時間、または作成された仕様書１０１の品質のバラツキが発生することがある。
【００２５】
第２に、仕様書作成への承認者及び関係者等の第三者への参照時期が仕様書作成後になることが多くある。そのため、第三者からの質問や要望を仕様書１０１に盛り込む行為には、仕様書１０１の構成要素である表紙１０２、更新履歴１０３、添付資料１０４、内容（本文）１０５、及びその項目１０７、１０８、１０９、１１０、１１１に対する属性１１２、１１３、１１４の情報内容（本文）を割り付ける作業の後戻りが発生することや、その後戻りによる情報内容（本文）の割り付け漏れ等の不備が発生すること等により、全体での仕様書１０１の作成期間が長くなることがある。
【００２６】
第３に、第三者は、仕様書１０１が完成する前に、作成中の仕様書１０１の表紙１０２、更新履歴１０３、添付資料１０４、内容（本文）１０５における情報内容（本文）に対し、仕様書の作成者に質問や要望等を盛り込む行為ができない。そのため、作成された仕様書１０１が完成しても、第三者においては利用価値の低い成果物となることがある。
【００２７】
第４に、第三者は、仕様書１０１全体が作成、若しくは完成する前には、作成、若しくは完成した部分の表紙１０２、更新履歴１０３、添付資料１０４、内容（本文）１０５における情報内容（本文）を利用したり参照することができない。そのため、仕様書１０１全体が完成するまで、仕様書１０１に関する情報内容（本文）を知ることができず、仕様書１０１をトリガーにした第三者の作業が停滞する。または、その作業を迅速に進めることができず、製品全体での開発期間を短縮することができないことがある。
【００２８】
第５に、第三者は、仕様書１０１が完成する前の仕様書１０１の表紙１０２、更新履歴１０３、添付資料１０４、内容（本文）１０５における情報内容（本文）の完成信頼度（変更する確率がどのぐらい少ないか示す度合い）を把握することができない。そのため、仕様書１０１全体が完成するまで、仕様書１０１を利用する第三者は、仕様書１０１に関する情報内容（本文）をどのように利用できるかの判断に迷い、仕様書１０１をトリガーにした第三者の作業が停滞する。または、誤った認識や不完全な情報での利用に伴い、設計事項、開発事項等におけるトラブルが発生することがある。
【００２９】
本発明は上記の課題を解決するためになされたものであり、仕様書の効率的に作成することができる仕様書作成支援装置及びその制御方法、仕様書作成支援システム、プログラムを提供することを目的とする。
【００３０】
【課題を解決するための手段】
上記の目的を達成するための本発明による仕様書作成支援装置は以下の構成を備える。即ち、
複数の作成段階毎に専用の仕様書情報入力画面を提供して、仕様書の作成を支援する仕様書作成支援装置であって、
複数の入力項目の各入力項目に対応する属性を入力する入力部を有する前記仕様書情報入力画面を生成する生成手段と、
前記生成手段で生成された前記仕様書情報入力画面を表示する表示手段と、
前記仕様書情報入力画面の前記入力部の入力状態に基づいて、現在の仕様書情報入力画面から次の仕様書情報入力画面への移行の是非を判定する判定手段と
を備える。
【００３１】
また、好ましくは、前記判定手段は、前記仕様書情報入力画面の前記入力部の入力状況に基づいて、現在の仕様書情報入力画面から次の仕様書情報入力画面への移行を許可する。
【００３２】
また、好ましくは、前記判定手段は、前記仕様書情報入力画面の前記入力部のすべてに属性が入力された場合に、現在の仕様書情報入力画面から次の仕様書情報入力画面への移行を許可する。
【００３３】
また、好ましくは、前記入力部には、必須入力の有無が指定されており、
前記判定手段は、前記必須入力が指定されている入力部のすべてに属性が入力された場合に、現在の仕様書情報入力画面から次の仕様書情報入力画面への移行を許可する。
【００３４】
また、好ましくは、前記仕様書情報入力画面は、更に、前記入力項目に対応する属性の入力部への入力が仕掛り中であること示すフラグを入力する仕掛り中フラグ入力領域を更に有し、
前記判定手段は、前記仕掛り中フラグ領域のフラグの入力状況に基づいて、現在の仕様書情報入力画面から次の仕様書情報入力画面への移行を許可する。
【００３５】
また、好ましくは、前記判定手段は、前記入力項目に対応する前記仕掛り中フラグ領域のフラグがすべて入力された場合に、現在の仕様書情報入力画面から次の仕様書情報入力画面への移行を許可する。
【００３６】
また、好ましくは、前記仕様書情報入力画面は、更に、前記入力項目に対応する属性の入力部への入力内容の完成信頼状況を示す完成信頼度を入力する完成信頼度入力領域を有し、
前記判定手段は、前記完成信頼度入力領域の完成信頼度に基づいて、現在の仕様書情報入力画面から次の仕様書情報入力画面への移行を許可する。
【００３７】
また、好ましくは、前記判定手段は、前記入力項目に対応する前記完成信頼度入力領域の完成信頼度がすべて所定値以上である場合に、現在の仕様書情報入力画面から次の仕様書情報入力画面への移行を許可する。
【００３８】
上記の目的を達成するための本発明による仕様書作成支援システムは以下の構成を備える。即ち、
複数の情報処理端末とサーバとがネットワークを介して相互に接続されて構成され、該情報処理端末と該サーバ間において、複数の作成段階毎に専用の仕様書情報入力画面を提供して、仕様書の作成を支援する仕様書作成支援システムであって、
前記複数の情報処理端末それぞれは、
前記複数の入力項目を有する仕様書情報入力画面を前記サーバから受信する受信手段と、
前記仕様書情報入力画面を表示する表示手段と、
前記仕様書情報入力画面を介して仕様書情報を入力する入力手段とを備え、
前記サーバは、
前記複数の入力項目の各入力項目に対応する属性を入力する入力部を有する前記仕様書情報入力画面を生成する生成手段と、
前記生成手段で生成された前記仕様書情報入力画面を前記情報処理端末へ送信する送信手段と、
前記仕様書情報入力画面の前記入力部の入力状態に基づいて、現在の仕様書情報入力画面から次の仕様書情報入力画面への移行の是非を判定する判定手段とを備える。
【００３９】
上記の目的を達成するための本発明による仕様書作成支援装置の制御方法は以下の構成を備える。即ち、
複数の作成段階毎に専用の仕様書情報入力画面を提供して、仕様書の作成を支援する仕様書作成支援装置の制御方法であって、
複数の入力項目の各入力項目に対応する属性を入力する入力部を有する前記仕様書情報入力画面を生成する生成工程と、
前記生成工程で生成された前記仕様書情報入力画面を表示する表示工程と、
前記仕様書情報入力画面の前記入力部の入力状態に基づいて、現在の仕様書情報入力画面から次の仕様書情報入力画面への移行の是非を判定する判定工程と
を備える。
【００４０】
上記の目的を達成するための本発明によるプログラムは以下の構成を備える。即ち、
複数の作成段階毎に専用の仕様書情報入力画面を提供して、仕様書の作成を支援する仕様書作成支援装置の制御をコンピュータに機能させるためのプログラムであって、
複数の入力項目の各入力項目に対応する属性を入力する入力部を有する前記仕様書情報入力画面を生成する生成工程のプログラムコードと、
前記生成工程で生成された前記仕様書情報入力画面を表示する表示工程のプログラムコードと、
前記仕様書情報入力画面の前記入力部の入力状態に基づいて、現在の仕様書情報入力画面から次の仕様書情報入力画面への移行の是非を判定する判定工程のプログラムコードと
を備える。
【００４１】
【発明の実施形態】
以下、添付図面に従って、本発明に係る好適な実施形態を詳細に説明する。
【００４２】
本発明では、設計仕様書作成支援システムとして、作成する仕様書の内容（本文）や時期や作成者等による枠組みの構成と細分化により、予め決められた手順での仕様書の作成順序を規制し、仕様書を作成、完成させて行くことを提供する。
【００４３】
また、細分化された枠組みを完成しなくても、次の枠組みに進める迂回方法を提供する。
【００４４】
また、細分化された枠組みの完成信頼度を記述、確認する方法を提供する。また、仕様書の作成中における利用者との質疑応答方法を提供する。
【００４５】
また、記録された仕様書の再利用方法を提供する。
【００４６】
また、別の枠組みを有する仕様書との連携方法を提供する。
【００４７】
また、他システムの情報との連携方法を提供する。
【００４８】
さらに、これらの方法で記録された情報内容（本文）を、仕様書に記載される項目単位に利用権限を割り付け、部品化することにより、作成者の作成負荷を軽減し、作成される仕様書の品質を均一化と利用者への利用価値を向上させる。また、作成者と利用者が期待する情報を提供するだけでなく、正しい疑問を提供する。
【００４９】
尚、以下の説明において、「サーバ」とは、ＷＷＷシステムにおいてＨＴＭＬ文書や画像などの情報を蓄積しておき、Ｗｅｂブラウザなどのクライアントソフトウェアからの要求を受けてインターネットなどのネットワークを通じて情報送信を行なうＷｅｂサーバ（ウェブサーバ）や、ネットワークを通じてユーザーからの要求を受けて、データベースシステムなどの処理に橋渡しを行なう機能を備えたアプリケーションサーバ（または、Ｗｅｂアプリケーションサーバ）を意味するものである。
【００５０】
また、「クライアント」とは、ネットワークにおいてサーバの提供する機能やデータを利用するコンピュータ、およびソフトウェアを意味するものである。このクライアントとしては、例えば、ネットワークに接続されたコンピュータ、家庭用のパーソナルコンピュータ、およびコンピュータ上で動作するＷｅｂブラウザ、ビューワ等が該当する。
【００５１】
また、以下に説明する本発明の実施形態では、インターネットを介してＷｅｂ環境下で提供者とユーザーとの間の仕様書作成に係る各種処理を実現する例を挙げて説明するが、本発明はこのような構成に限定されるものではない。つまり、サーバが提供するサービスに係る処理を実行するための各種操作画面（グラフィックユーザーインタフェース）がクライアントのブラウザ（ビューワ）上で表示可能な形態を提供できるようなコンピュータネットワーク環境であれば、本発明を適用することができる。
【００５２】
次に、本実施形態の設計仕様書作成支援システムの全体構成について、図３を用いて説明する。
【００５３】
図３は本実施形態の設計仕様書作成支援システム全体の構成を示す図である。
【００５４】
３００は、インターネット、ＷＡＮ、ＬＡＮ等のネットワークである。
【００５５】
３０１、３０２、３０３は、設計者等が操作する情報処理端末であり、サーバ３５０に対するクライアントとして機能する。３５０は、サーバである。
【００５６】
情報処理端末３０１、３０２、３０３及びサーバ１５０は、ネットワーク３００を介して相互に通信が可能である。
【００５７】
図４は本実施形態の情報処理端末３０１、３０２、３０３の構成を示すブロック図である。
【００５８】
４０１はＣＰＵであり、情報処理端末内の各部の制御を行なう他、本実施形態に示されている処理を実現するための制御を行なう。４０２は入力部であり、情報処理端末の操作者からの情報の入力を可能にさせる。入力部４０２には、例えば、キーボード、マウス、デジタイザ等がある。
【００５９】
４０３は出力部であり、情報処理端末の操作者に情報を表示する。出力部４０３には、例えば、ＣＲＴや液晶ディスプレイ等がある。
【００６０】
４０４は外部記憶装置であり、情報処理端末とは別個の記録媒体に対する情報の読出／書込を行なう。外部記憶装置４０４には、例えば、ＦＤドライブ、ＭＯドライブ、ＣＤ−Ｒドライブ等がある。
【００６１】
４０５はＲＯＭ（Ｒｅａｄ　Ｏｎｌｙ　Ｍｅｍｏｒｙ）であり、読出専用メモリである。このＲＯＭ４０５は、例えば、使用者が電気的にプログラムを書き込むことができるＰＲＯＭ（Ｐｒｏｇｒａｍｍａｂｌｅ　Ｒｏｍ）と製造するときに内容（本文）を書き込むマスクＲＯＭとがあるが、本実施形態においては何れのＲＯＭであってもよい。
【００６２】
４０６はＲＡＭ（Ｒａｎｄｏｍ　Ａｃｃｅｓｓ　Ｍｅｍｏｒｙ）であり、自由書込・自由読出ができるメモリである。このＲＡＭ４０６は、本実施形態の処理を行なう際に必要なデータを一時的に蓄えたり、データの作業領域として機能する。
【００６３】
４０７はネットワークインターフェースであり、ネットワーク３００との接続を可能にし、各種通信を制御する。ネットワークインターフェース４０７には、例えば、モデムやネットワークカード等がある。また、通信はＴＣＰ／ＩＰ等のネットワークプロトコルにより実現される。
【００６４】
４０８は内部記憶装置であり、情報処理端末内で各種情報を記憶するための記憶装置である。内部記憶装置の例としては、ハードディスク等がある。
【００６５】
４０９はバスであり、情報処理端末内の各ブロック間の各種データの送受信及び電力の供給を実現するものである。バス４０９は、アドレス線、データ線、制御線、電源・グラウンド線等からなる。
【００６６】
図５は本実施形態のサーバ３５０の構成を示すブロック図である。
【００６７】
５０１はＣＰＵであり、サーバ３５０内の各部の制御を行なう他、本実施形態に示されている処理を実現するための制御を行なう。５０２は入力部であり、サーバ３５０の操作者からの情報の入力を可能にさせる。入力部５０２には、例えば、キーボード、マウス、デジタイザ等がある。
【００６８】
５０３は出力部であり、サーバ３５０の操作者に情報を表示する。出力部５０３には、例えば、ＣＲＴや液晶ディスプレイ等がある。
【００６９】
５０４は外部記憶装置であり、サーバ３５０とは別個の記憶媒体に対し情報の読出／書込を行なう。外部記憶装置５０４には、例えば、ＦＤドライブ、ＭＯドライブ、ＣＤ−Ｒドライブ等がある。
【００７０】
５０５はＲＯＭ（Ｒｅａｄ　Ｏｎｌｙ　Ｍｅｍｏｒｙ）であり、読出専用メモリである。このＲＯＭ５０５には、使用者が電気的にプログラムを書き込むことができるＰＲＯＭ（Ｐｒｏｇｒａｍｍａｂｌｅ　Ｒｏｍ）と製造するときに内容（本文）を書き込むマスクＲＯＭとがあるが、本実施形態においては何れのＲＯＭであってもよい。
【００７１】
５０６はＲＡＭ（Ｒａｎｄｏｍ　Ａｃｃｅｓｓ　Ｍｅｍｏｒｙ）であり、自由書込・自由読出ができるメモリである。このＲＡＭ５０６は、本実施形態の処理を行なう際に必要なデータを一時的に蓄えたり、データの作業領域として機能する。
【００７２】
５０７はネットワークインターフェースであり、ネットワーク３００との接続を可能にし、各種通信を制御する。ネットワークインターフェース５０７には、例えば、モデムやネットワークカード等がある。また、通信はＴＣＰ／ＩＰ等のネットワークプロトコルにより実現される。
【００７３】
５０８は内部記憶装置であり、サーバ３５０内で各種情報（後述する各種テーブル、後述するフローチャートで示される処理を実現するためのプログラム）を記憶するための記憶装置である。内部記憶装置の例としては、ハードディスク等がある。
【００７４】
５０９はバスであり、サーバ３５０内の各ブロック間の各種データの送受信及び電力の供給を実現するものである。バス５０９は、アドレス線、データ線、制御線、電源・グラウンド線等からなる。
【００７５】
次に、設計仕様書作成支援システム（Ｄｏｃｕｍｅｎｔ　Ｄｅｓｉｇｎ　Ｓｕｐｐｏｒｔ　Ｓｙｓｔｅｍ）（以下、Ｄ．Ｄ．Ｓ．Ｓと略称する）について説明する。このＤ．Ｄ．Ｓ．Ｓは、仕様書作成部と設計ワークフロー表示部のハイブリッド型のシステム構成を有する。
【００７６】
□基本仕様、設計条件、構想設計、詳細設計それぞれの仕様
図６は本実施形態のＤ．Ｄ．Ｓ．Ｓにおける設計仕様書の内容（本文）における各作成フェーズでの作成手順と使用するデータ類の構成を示す図である。
【００７７】
各作成フェーズでの作成手順の情報は、予めサーバ３５０の内部記憶装置５０８に記憶されている図３４の仕様書入力テンプレートの作成情報テーブル（機種別サブシステム別）等から取得する。この記憶された情報は、利用者権限別機能テーブル（図７）より、マスターメンテナンス（以下、単に、メンテと略称する）権限のある利用者が情報処理端末３０１、３０２、３０３からサーバ３５０にアクセスし、マスターメンテ画面を使用して変更することが可能である。
【００７８】
尚、図７の利用者権限別機能テーブルにおいて、「●」が権限が与えられていることを示し、「−」が権限が与えられていないことを示している。
【００７９】
本実施形態の設計仕様書は、製品設計における構想仕様に関する要件でまとめられた設計仕様書（Ｉ）と詳細仕様に関する要件でまとめられた設計仕様書（ＩＩ）に大別される。
【００８０】
構想仕様である設計仕様書（Ｉ）では、更に３つのフェーズ（仕様書入力テンプレート）に分類される。
【００８１】
第１に、該当モジュールに要求される製品仕様を記述する基本仕様である。
【００８２】
第２に、諸処の数値目標、割付項目（プロセススピード、メンテナンス間隔、寿命、コスト、型代、消費電力、騒音、スペース等）を記述する設計条件である。
【００８３】
第３に、設計条件の枠の中で、基本仕様を実現するためのコンセプト、構成と、その考え方を記述する構想設計である。
【００８４】
３つのフェーズとも製品設計の初期段階で明確になる仕様書の内容（本文）であり、限られた設計者が知らされる情報でもある。この基本仕様、設計条件、構想設計に関しては、主に設計チーフ以上の設計者が作成することになる。
【００８５】
また、詳細仕様である設計仕様書（ＩＩ）は、各要素（最小単位は部品レベル）についての設計値と、その考え方を記述する詳細設計フェーズがある。このフェーズは、設計仕様書（Ｉ）の内容（本文）が明確になることで進めら、実際の設計行為の結果が反映されていくものである。この詳細設計フェーズに関しては、主に設計の実担当者が作成することになる。
【００８６】
また、Ｄ．Ｄ．Ｓ．Ｓにおける設計仕様書は、仕様書の枠組み（仕様書入力テンプレート）を上記のような適当な条件で細分化（フェーズ分け）する。そして、細分化（フェーズ分け）された仕様書の枠組み（仕様書入力テンプレート）は、予め決められた仕様書作成ワークフローの手順、または仕様書入力テンプレートの項目番号順に規制されて作成する。
【００８７】
また、Ｄ．Ｄ．Ｓ．Ｓにおける設計仕様書の構成には、製品設計における開発手順を基に、図６の基本仕様、設計条件、構想設計、詳細設計というフェーズに細分化した内容（本文）と、設計仕様書の表紙、及び内容（本文）の更新履歴が含まれる。
【００８８】
また、Ｄ．Ｄ．Ｓ．Ｓにおける設計仕様書における各作成フェーズの仕様書入力テンプレートの項目は、純設計的な項目が中心であるが、純生産的な項目やその中間的な項目を後から追加することが可能である。
【００８９】
また、Ｄ．Ｄ．Ｓ．Ｓにおける設計仕様書を作成するにあたり、図７の利用者権限別機能テーブル等を構成することで、設計仕様書の作成者、及び利用者等のユーザーに適当な権限を与え、コラボレートしながら設計仕様書を作成する。例えば、作成権限の縛りや、作成フェーズ順の縛りや、仕様書印刷の縛り等である。縛り機能の説明については、後述する。
【００９０】
□上記の作成フェーズの作成順序をおって決定していかなければならない理由作成順序をおって、設計仕様書を決定していかなければならない理由には、完成品質の高い設計仕様書を作成することと、できる限り作成（若しくは完成）した設計仕様書から関係者に公開できることと、設計仕様書の作成期間を短くすることと、できる限り設計仕様書を作成する負荷を小さくすることにある。
【００９１】
これは、例えば、製品開発の進行段階によって、設計仕様書に入力できるデータの時期が異なったり、設計仕様書に入力したデータの内容が変化するからである。
【００９２】
また、図６のように設計仕様書を作成するフェーズにより、使用するデータ類が複数存在するが、これら使用するデータ類の抽出時期や、参照できる時期が異なる。また、設計仕様書を作成すべき設計者は、設計仕様書を作成する以外の開発事項、設計事項の負荷も大きく、製品開発の日程を厳守（または短縮）するためには、できる限り設計仕様書を作成する負荷を小さくする必要がある。
【００９３】
そのために、製品設計における開発手順を基に、図１の仕様書の構成内にある内容（本文）１０５の項目群（１０７、１０８、１０９、１１０、１１１）を早い段階でわかる情報、早い段階で決めるべき情報等を考慮し、図６の基本仕様、設計条件、構想設計、詳細設計という作成フェーズに細分化、再構築することで、設計仕様書の作成に必要な時期に、必要な情報を抽出、参照することを製品開発の進行段階や、製品設計における開発手順の流れの中で、作成者及び関係者がタイムリーに設計仕様書の情報を把握することを可能にする。
【００９４】
また、従来では、図１の仕様書の構成内にある内容（本文）１０５の入力するべき情報（項目・属性）が大きな枠組み（縛り）１０６を、基本仕様、設計条件、構想設計、詳細設計という作成フェーズごとの小さな枠組み（縛り）に細分化し、その作成フェーズごとに作成者を割り当てることで、一人当たりの作成負荷を小さくしている。つまり、細かい縛りを作成フェーズごとに加えることで、完成品質の高い設計仕様書を作成することを可能にしている。
【００９５】
□作成順序をおって決定される例
※例１：ＡとＢが決まらない。
【００９６】
基本仕様フェーズの全ての項目に関する属性１のデータが決まらないと、設計条件フェーズに移行することができない。また、設計条件フェーズの全ての項目に関する属性１のデータが決まらないと、構想設計フェーズに移行することができない。また、構想設計フェーズの全ての項目に関する属性１のデータが決まらないと、詳細設計フェーズに移行することができない。また、基本仕様フェーズから詳細設計フェーズまでの全ての項目に関する属性１のデータが決まらないと、仕様書印刷における表紙の印刷を実施することができない。
【００９７】
更に、移行条件を属性１から属性２、属性３、属性ｎと拡張することで規制（縛り）を強化することが可能である。
【００９８】
※例２：ＡとＢが決まらないと、Ｃが決まらない。
【００９９】
構想設計フェーズにおいては、新製品の設計のベースとなる機種を設定しないとデータ入力ができない項目を設定できる。例えば、新製品とベース機種との差異に関する内容（本文）を記述する項目等である。この項目は、作成時にベース機種となる機種を設定しないとデータ入力が可能とならない。そのため、そのフェーズを完成（終了）することができないことになる。また、ベース機種がない全くの新規設計の製品の場合には、ベース機種なしを設定することで、ベース機種との差異を記述する項目に関しては、データを入力したと同じ位置付けにすることが可能である。その項目に関するデータ入力をする必要がなく、そのフェーズを完成（終了）することができる。
【０１００】
更に、ベース機種との差異を記述する項目は、範囲指定が可能であり、範囲を広げることで規制（縛り）を強化することが可能である。
【０１０１】
次に、上述の構成を実現する本実施形態の設計書作成視点システムの各種操作画面及び処理について、以下に説明する。
【０１０２】
尚、以下の説明では、情報処理端末３０１とサーバ３５０間で実行される処理を例に挙げて説明するが、他の情報処理端末３０２や３０５とサーバ３５０間で同様の処理が実現されることは言うまでもない。また、情報処理端末３０１とサーバ３５０では、サーバ３５０で生成される各種操作画面が情報処理端末３０１の出力部４０３に表示され、この出力部４０３に表示される操作画面に対して情報処理端末３０１のユーザーが入力部４０２を介して、各種情報を入力することで、この入力された各種情報に基づいてサーバ３５０が各種処理を実行することになる。
【０１０３】
１．ログイン画面
図８は本実施形態のＤ．Ｄ．Ｓ．Ｓの利用者を認証するログイン画面を示す図である。また、図１７は本実施形態のログイン画面（図８）によってＤ．Ｄ．Ｓ．Ｓにログインするための処理の流れを示すフローチャートである。
【０１０４】
図８のログイン画面８００において、８０１は、Ｄ．Ｄ．Ｓ．Ｓを終了するための終了ボタン等の各種機能ボタンや各種メニュー、データ入力領域から構成されるＤ．Ｄ．Ｓ．Ｓの各種処理を実行するためのＷｅｂブラウザで実現される各種機能である。
【０１０５】
８０２は、Ｄ．Ｄ．Ｓ．Ｓにログインするための組織名（会社名）を選択するための会社名プルダウンメニューである。８０３は、Ｄ．Ｄ．Ｓ．ＳにログインするためのユーザーＩＤを入力するためのユーザーＩＤ入力フィールドである。８０４は、Ｄ．Ｄ．Ｓ．ＳにログインするためのユーザーＩＤ８０３に対応するパスワードを入力するためのパスワード入力フィールドである。
【０１０６】
８０５は、会社名プルダウンメニュー８０２、ユーザーＩＤ８０３、パスワード８０４のログイン情報により、Ｄ．Ｄ．Ｓ．Ｓの利用を認証するための処理を実行するログインボタンである。
【０１０７】
次に、図１７のフローチャートについて説明する。
【０１０８】
図１７において、Ｄ．Ｄ．Ｓ．Ｓの利用者は、情報処理端末３０１からサーバ３５０にアクセスする（ステップＳ１７０１）。これにより、サーバ３５０は、画面生成に必要な会社情報等の補足情報を内部記憶装置５０８から取得し（ステップＳ１７０２）、その取得情報を画面生成情報として設定する（ステップＳ１７０３）。次に、この画面生成情報を情報処理端末３０１に送信することで、出力部４０３にログイン画面８００（図８）が表示される（ステップＳ１７０４）。
【０１０９】
□利用者の認証
利用者がＤ．Ｄ．Ｓ．Ｓにログインする場合には（ステップＳ１７０５）、会社名選択プルダウンメニュー８０２から利用者の所属する組織名を入力部４０２で操作し選択する（ステップＳ１７０８）。
【０１１０】
また、ユーザーＩＤ入力フィールド８０３には、利用者にユニークに与えられたユーザーＩＤを入力部４０２で操作し入力する（ステップＳ１７０９）。
【０１１１】
また、ユーザーパスワード入力フィールド８０４には、利用者のパスワードを入力部４０２で操作し入力する（ステップＳ１７１０）。
【０１１２】
これら入力された組織名、ユーザーＩＤ、及びパスワード等のログイン情報は、ログインボタン８０５を入力部４０２で操作し選択することでサーバ３５０に送信され、予めサーバ３５０の内部記憶装置５０８に記憶されている組織名、ユーザーＩＤ、パスワード等と比較される（ステップＳ１７１１）。この比較の結果、ログイン情報が正しく照合されれば（正しく認証がされれば）、サーバ３５０は次画面のお知らせ画面の起動作業に進む（ステップＳ１７１３、ステップＳ１８０１）。
【０１１３】
一方、認証に失敗した場合には、ステップＳ１７０４に戻り、ログイン画面（図８）が再度表示される。
【０１１４】
□ユーザー情報の取得／お知らせ（初期）画面の起動
更に、利用者が正しく照合された場合には、ログイン情報を基に、サーバ３５０の内部記憶装置５０８に記憶されている利用者権限機能別テーブル（図７）等のユーザー情報を取得し（ステップＳ１７１２）、サーバ３５０は次画面のお知らせ画面の起動作業（ステップＳ１７１３、Ｓ１８０１）に進む。
【０１１５】
□画面終了／システム終了
利用者がＤ．Ｄ．Ｓ．Ｓを終了する場合には（ステップＳ１７０５）、画面上の終了機能８０１を入力部４０２で操作し実施する（ステップＳ１７０７）。
【０１１６】
この際、利用者のシステム利用状況やシステム設定情報等のユーザー関連情報を取得し、サーバ３５０の内部記憶装置５０８に記憶させる（ステップＳ１７０６）。記憶されたこのユーザー関連情報は、利用者が再度Ｄ．Ｄ．Ｓ．Ｓを利用する際のサービス情報、またはＤ．Ｄ．Ｓ．Ｓのシステム管理情報として利用される。
【０１１７】
２．お知らせ画面
図９は本実施形態のＤ．Ｄ．Ｓ．Ｓを利用するユーザーにシステムの運用情報や開発チームのトピックス等を通知するお知らせ画面を示す図である。また、図１８は本実施形態のお知らせ画面（図９）におけるお知らせの処理の流れを示すフローチャートである。
【０１１８】
図９のお知らせ画面９００において、９０１は、お知らせ情報のトピックスを選択するためのトピックスプルダウンメニューである。トピックスプルダウンメニュー９０１を選択することで、選択したトピックスのお知らせ情報をトピックス情報表示フィールド９０４に表示する。
【０１１９】
９０２は、トピックスプルダウンメニュー９０１で選択したトピックスに関するお知らせ情報を設定するためのお知らせ設定画面を表示するためのお知らせ設定ボタンである。お知らせ設定ボタン９０２をクリックすることで、お知らせ設定画面が表示される。
【０１２０】
９０３は、Ｄ．Ｄ．Ｓ．Ｓの表示言語を選択するためのランゲージプルダウンメニューである。ランゲージプルダウンメニューから言語を選択することで、選択した言語で、Ｄ．Ｄ．Ｓ．Ｓ（お知らせ画面（図９）以降）で生成される各種画面が表示される。
【０１２１】
９０４は、トピックスプルダウンメニュー９０１で選択したお知らせ情報のトピックスを表示するトピックス情報表示フィールドである。９０５は、Ｈｅｌｐ画面を表示するためのＨｅｌｐボタンである。Ｈｅｌｐボタン９０５をクリックすることで、Ｈｅｌｐ画面が表示される。
【０１２２】
９０６は、メニュー画面（図１０）を表示するための「メニュー画面へ」ボタンである。「メニュー画面へ」ボタン９０６をクリックすることで、メニュー画面（図１０）が表示され、お知らせ画面（図９）は消える。
【０１２３】
９０７は、ログイン画面（図８）に戻るためのログアウトボタンである。ログアウトボタン９０７をクリックすることで、お知らせ画面（図９）は消える。
【０１２４】
９０８は、Ｄ．Ｄ．Ｓ．Ｓを終了するための終了ボタンである。終了ボタンをクリックすることで、お知らせ画面（図９）は消える。
【０１２５】
次に、図１８のフローチャートについて説明する。
【０１２６】
図１８において、Ｄ．Ｄ．Ｓ．Ｓの利用者は、情報処理端末３０１からサーバ３５０にアクセスする（ステップＳ１８０１）。これにより、サーバ３５０は、画面生成に必要なユーザー情報（ステップＳ１８０２）、表示言語（ステップＳ１８０３）、システム運用情報（ステップＳ１８０４）、チーム別情報（ステップＳ１８０５）等の補足情報を内部記憶装置５０８から取得する。次に、その取得情報を画面生成情報として設定する（ステップＳ１８０８）。次に、この画面生成情報を、情報処理端末３０１に送信することで、出力部４０３にお知らせ画面９００（図９）が表示される（ステップＳ１８０９）。但し、この処理は、ログイン画面８００（図８）において、ログインする利用者が正しく認証されている場合に限る。
【０１２７】
□ユーザー情報の取得
ログイン情報（ステップＳ１７０８、Ｓ１７０９、Ｓ１７１０）を基に、サーバ３５０の内部記憶装置５０８に記憶されているお知らせ画面（図９）の利用状況、設定情報等のユーザー情報を取得する（ステップＳ１８０２）。例えば、取得したユーザー情報を基に、利用者に合せ、利用できる機能を操作するボタンや表示言語をお知らせ画面９００（図９）上に設定するために利用される（ステップＳ１８０８）。
【０１２８】
□お知らせ情報の表示
お知らせ画面９００（図９）のトピックス情報表示フィールド９０４には、トピックスプルダウンメニュー９０１で選択された項目の内容（本文）が表示される。初期設定では、「システム運用のお知らせ」が選択されている。この時、トピックス情報表示フィールド９０４に表示される内容（本文）は、お知らせ情報に関するタイトル、登録者、登録日時、登録内容（本文）がある、これらは最新登録日時順に表示される。
【０１２９】
□表示言語の切り替え
お知らせ画面９００（図９）以降の表示言語は、ランゲージプルダウンメニュー９０３の選択項目で切り替えることができる（ステップＳ１８１０）。初期設定では、サーバ３５０の内部記憶装置５０８に記憶されているユーザー情報の中に、「表示するランゲージ」として登録されている情報を利用する。例えば、ランゲージプルダウンメニュー９０３にて、日本語が選択されている場合には、日本語をキーに、サーバ３５０の内部記憶装置５０８に予め登録されている各表示言語に対応した関連する画面情報を検索し、お知らせ画面９００（図９）、及びお知らせ画面（９００）以降で表示する。
【０１３０】
□お知らせ設定画面の起動
お知らせ画面９００（図９）の「お知らせ設定」ボタン９０２を入力部４０２から操作することで（ステップＳ１８１１）、出力部４０３に「お知らせ設定画面」を表示する起動作業を実施する（ステップＳ１８１２）。但し、「お知らせ設定」ボタン９０２は、トピックスプルダウンメニュー９０１で選択された項目に関する設定権限がある利用者に限り、実施可能状態となるボタンである。
【０１３１】
例えば、初期設定では、「システム運用のお知らせ」が選択され、トピックス情報表示フィールド９０４には、「システム運用のお知らせ」の内容（本文）が表示されるが、システム管理権限がない利用者の場合には、「お知らせ設定」ボタン９０２を入力部４０２から操作しても（ステップＳ１８１１）、「お知らせ設定画面」を表示することができない。
【０１３２】
□Ｈｅｌｐ画面の起動
お知らせ画面９００（図９）の「Ｈｅｌｐ」ボタン９０５を入力部４０２から操作することで（ステップＳ１８１３）、出力部４０３に「Ｈｅｌｐ画面」を表示する起動作業を実施する（ステップＳ１８１４）。
【０１３３】
□メニュー画面の表示
お知らせ画面９００（図９）の「メニュー画面へ」ボタン９０６を入力部４０２から操作することで（ステップＳ１８２１）、出力部４０３にメニュー画面（図１０）を表示する起動作業を実施する（ステップＳ１８２２）。
【０１３４】
□ログイン画面に戻る
お知らせ画面９００（図９）のログアウトボタン９０７を入力部４０２から操作することで（ステップＳ１８２５）、出力部４０３にログイン画面８００（図８）を表示する起動作業を実施する（ステップＳ１８２６、Ｓ１７０１）。
【０１３５】
□お知らせ画面終了
お知らせ画面９００の終了は、利用者がメニュー画面（図１０）を表示するために、お知らせ画面９００（図９）の「メニュー画面へ」ボタン９０６を入力部４０２から操作すること（ステップＳ１８２１）、または、ログアウトボタン９０７を入力部４０２から操作すること（ステップＳ１８２５）、または、下記の「システム終了」作業で実施される。
【０１３６】
この際、利用者のシステム利用状況やシステム設定情報等のユーザー関連情報を取得し、サーバ３５０の内部記憶装置５０８に記憶させる（ステップＳ１８１９）。記憶されたこのユーザー関連情報は、利用者が再度Ｄ．Ｄ．Ｓ．Ｓを利用する際のサービス情報、またはＤ．Ｄ．Ｓ．Ｓのシステム管理情報として利用される。
【０１３７】
□システム終了
利用者がＤ．Ｄ．Ｓ．Ｓを終了する場合には（ステップＳ１８１８）、終了ボタン９０８を入力部４０２で操作し実施する（ステップＳ１８２０）。この際、利用者のシステム利用状況やシステム設定情報等のユーザー関連情報を取得し、サーバ３５０の内部記憶装置５０８に記憶させる（ステップＳ１８１９）。記憶されたこのユーザー関連情報は、利用者が再度Ｄ．Ｄ．Ｓ．Ｓを利用する際のサービス情報、またはＤ．Ｄ．Ｓ．Ｓのシステム管理情報として利用される。
【０１３８】
３．メニュー画面
図１０は本実施形態のＤ．Ｄ．Ｓ．Ｓを利用するユーザーにメニュー情報を通知するメニュー画面を示す図である。また、図１９は本実施形態のメニュー画面（図１０）におけるメニューの処理の流れを示すフローチャートである。
【０１３９】
図１０のメニュー画面１０００において、１００１は、ラジオボタンから構成される各種仕様書を作成するための仕様書作成メニューである。１００２は、ラジオボタンから構成される仕様書作成支援メニューである。１００３は、ラジオボタンから構成されるマスターメンテメニューである。
【０１４０】
そして、これらの各ラジオボタンを選択することで、図１９で説明する各ラジオボタンに対応する操作画面が表示される。
【０１４１】
１００４は、メッセージフィールドである。このメッセージフィールド１００４には、利用者の仕様書作成の利用権限機能別テーブル（図７）や、その注意事項や、メニュー画面１０００での操作方法等が表示される。
【０１４２】
１００５は、お知らせ画面９００（図９）に戻るための「お知らせ画面へ」ボタンである。「お知らせ画面へ」ボタン１００５をクリックすることで、メニュー画面１０００は消える。
【０１４３】
１００６は、ログイン画面８００（図８）に戻るためのログアウトボタンである。ログアウトボタン１００６をクリックすることで、メニュー画面１０００（図１０）は消える。
【０１４４】
１００７は、Ｄ．Ｄ．Ｓ．Ｓを終了するための終了ボタンである。終了ボタン１００７をクリックすることで、メニュー画面１０００（図１０）は消える。
【０１４５】
次に、図１９のフローチャートについて説明する。
【０１４６】
図１９において、Ｄ．Ｄ．Ｓ．Ｓの利用者は、情報処理端末３０１からサーバ３５０にアクセスする（ステップＳ１９０１）。これにより、サーバ３５０は、画面生成に必要なユーザー情報（ステップＳ１９０２）、メニュー情報（ステップＳ１９０３）、移行処理情報（ステップＳ１９０７）等の補足情報を内部記憶装置５０８から取得する。次に、その取得情報を画面生成情報として設定する（ステップＳ１９０８）。次に、この画面生成情報を、情報処理端末３０１に送信することで、出力部４０３にメニュー画面１０００（図１０）が表示される（ステップＳ１９０９）。但し、この処理は、ログイン画面８００（図８）において、ログインする利用者が正しく認証されている場合に限る。
【０１４７】
□ユーザー情報の取得／メニュー情報の取得
ログイン情報（ステップＳ１７０８、Ｓ１７０９、Ｓ１７１０）を基に、サーバ３５０の内部記憶装置５０８に記憶されているメニュー画面１０００（図１０）の利用状況、設定情報等のユーザー情報を取得する（ステップＳ１９０２）。また、取得したユーザー情報を基に、利用者に合せ、利用できる機能を操作するボタンや利用者権限機能別テーブル（図７）、メニュー情報（ステップＳ１９０３）等をメニュー画面１０００（図１０）上に設定するために利用される（ステップＳ１９０８）。
【０１４８】
□メニュー情報の表示
１）仕様書作成フェーズの項目一覧
メニュー画面１０００（図１０）の仕様書作成メニュー１００１には、表紙、基本仕様、設計条件、構想設計、詳細設計、更新履歴の仕様書作成フェーズに分けられた選択部（ラジオボタン）が表示される。この各種仕様書作成フェーズは、利用者ごとに設定されている利用権限機能別テーブル（図７）により、その表示有無を制御することが可能である。または、移行処理情報（ステップＳ１９０７）を利用することにより、表示有無を制御することが可能である。
【０１４９】
１−１）表紙フェーズ・仕様書選択画面の表示
例えば、利用者権限機能別テーブル（図７）や移行判定基準（図３９）を満足し、仕様書作成メニュー１００１の「表紙」のラジオボタンが選択されている場合（ステップＳ１９１３）、入力部４０２から操作することで、出力部４０３に「表紙フェーズ・仕様書選択画面」を表示する起動作業を実施する（ステップＳ１９１４）。
【０１５０】
１−２）基本仕様フェーズ・仕様書選択画面の表示
例えば、利用者権限機能別テーブル（図７）や移行判定基準（図３９）を満足し、仕様書作成メニュー１００１の「基本仕様」のラジオボタンが選択されている場合（ステップＳ１９１３）、入力部４０２から操作することで、出力部４０３に図１１と同じような「基本仕様フェーズ・仕様書選択画面」を表示する起動作業を実施する（ステップＳ１９１５）。
【０１５１】
１−３）設計条件フェーズ・仕様書選択画面の表示
例えば、利用者権限機能別テーブル（図７）や移行判定基準（図３９）を満足し、仕様書作成メニュー１００１の「設計条件」のラジオボタンが選択されている場合（ステップＳ１９１３）、入力部４０２から操作することで、出力部４０３に図１１と同じような「設計条件フェーズ・仕様書選択画面」を表示する起動作業を実施する（ステップＳ１９１６）。
【０１５２】
１−４）構想設計フェーズ・仕様書選択画面の表示
例えば、利用者権限機能別テーブル（図７）や移行判定基準（図３９）を満足し、仕様書作成メニュー１００１の「構想設計」のラジオボタンが選択されている場合（ステップＳ１９１３）、入力部４０２から操作することで、出力部４０３に図１１と同じような「構想設計フェーズ・仕様書選択画面」を表示する起動作業を実施する（ステップＳ１９１７）。
【０１５３】
１−５）詳細設計フェーズ・仕様書選択画面の表示
例えば、利用者権限機能別テーブル（図７）や移行判定基準（図３９）を満足し、仕様書作成メニュー１００１の「詳細設計」のラジオボタンが選択されている場合（ステップＳ１９１３）、入力部４０２から操作することで、出力部４０３に図１１の「詳細設計フェーズ・仕様書選択画面」を表示する起動作業を実施する（ステップＳ１９１８）。
【０１５４】
１−６）更新履歴フェーズ・仕様書選択画面の表示
例えば、利用者権限機能別テーブル（図７）や移行判定基準（図３９）を満足し、仕様書作成メニュー１００１の「更新履歴」のラジオボタンが選択されている場合（ステップＳ１９１３）、入力部４０２から操作することで、出力部４０３に「更新履歴フェーズ・仕様書選択画面」を表示する起動作業を実施する（ステップＳ１９１９）。
【０１５５】
１−７）移行ロックメッセージ画面の表示
例えば、利用者権限機能別テーブル（図７）を満足しているが、移行判定基準（図３９）を満足していない場合に（ステップＳ１９１３）、各種仕様書作成フェーズの選択部（ラジオボタン）を入力部４０２から操作することで、出力部４０３に図１６の「移行ロックメッセージ画面」を表示する起動作業を実施する（ステップＳ１９２１）。
【０１５６】
２）仕様書作成支援機能の項目一覧
メニュー画面１０００（図１０）の仕様書作成支援支援メニュー１００２には、設計情報閲覧、製品系譜検索、ステータス管理、承認処理、公開処理、仕様書印刷、ＦＡＱ、Ｈｅｌｐに分けられた選択部（ラジオボタン）が表示される。この各種支援機能は、利用者ごとに設定されている利用者権限機能別テーブル（図７）により、その表示有無を制御することが可能である。
【０１５７】
２−１）仕様書印刷画面の表示
例えば、利用者権限機能別テーブル（図７）や移行判定基準（図３９）を満足し、仕様書作成支援支援メニュー１００２の「仕様書印刷」のラジオボタンが選択されている場合（ステップＳ１９１３）、入力部４０２から操作することで、出力部４０３に「仕様書印刷画面」を表示する起動作業を実施する（ステップＳ１９２０）。
【０１５８】
２−２）Ｈｅｌｐ画面の表示
例えば、利用者権限機能別テーブル（図７）を満足し、仕様書作成支援支援メニュー１００２の「ＨＥＬＰ」のラジオボタンが選択されている場合（ステップＳ１９１２）、入力部４０２から操作することで、出力部４０３に「Ｈｅｌｐ画面」を表示する起動作業を実施する（ステップＳ１９３０）。
【０１５９】
２−３）設計情報閲覧画面の表示
例えば、利用者権限機能別テーブル（図７）を満足し、仕様書作成支援支援メニュー１００２の「設計情報閲覧」のラジオボタンが選択されている場合（ステップＳ１９１２）、入力部４０２から操作することで、出力部４０３に「設計情報閲覧画面」を表示する起動作業を実施する（ステップＳ１９２２）。
【０１６０】
２−４）製品系譜検索画面の表示
例えば、利用者権限機能別テーブル（図７）を満足し、仕様書作成支援支援メニュー１００２の「製品系譜検索」のラジオボタンが選択されている場合（ステップＳ１９１２）、入力部４０２から操作することで、出力部４０３に「製品系譜検索画面」を表示する起動作業を実施する（ステップＳ１９２３）。
【０１６１】
２−５）ステータス管理画面の表示
例えば、利用者権限機能別テーブル（図７）を満足し、仕様書作成支援支援メニュー１００２の「ステータス管理」のラジオボタンが選択されている場合（ステップＳ１９１２）、入力部４０２から操作することで、出力部４０３に「ステータス管理画面」を表示する起動作業を実施する（ステップＳ１９２４）。
【０１６２】
２−６）承認処理画面の表示
例えば、利用者権限機能別テーブル（図７）を満足し、仕様書作成支援支援メニュー１００２の「承認処理」のラジオボタンが選択されている場合（ステップＳ１９１２）、入力部４０２から操作することで、出力部４０３に「承認処理画面」を表示する起動作業を実施する（ステップＳ１９２５）。
【０１６３】
２−７）公開処理画面の表示
例えば、利用者権限機能別テーブル（図７）を満足し、仕様書作成支援支援メニュー１００２の「公開処理」のラジオボタンが選択されている場合（ステップＳ１９１２）、入力部４０２から操作することで、出力部４０３に「公開処理画面」を表示する起動作業を実施する（ステップＳ１９２６）。
【０１６４】
２−８）ＦＡＱ画面の表示
例えば、利用者権限機能別テーブル（図７）を満足し、仕様書作成支援支援メニュー１００２の「ＦＡＱ」のラジオボタンが選択されている場合（ステップＳ１９１２）、入力部４０２から操作することで、出力部４０３に「ＦＡＱ画面」を表示する起動作業を実施する（ステップＳ１９２７）。
【０１６５】
３）システム管理機能の項目一覧
メニュー画面１０００（図１０）のマスターメンテメニュー１００３には、マスターメンテの選択部（ラジオボタン）が表示される。この各種管理機能は、利用者ごとに設定されている利用者権限機能別テーブル（図７）により、表示有無を制御することが可能である。
【０１６６】
３−１）マスターメンテ画面の表示
例えば、利用者権限機能別テーブル（図７）を満足し、マスターメンテメニュー１００３の「マスターメンテ」のラジオボタンが選択されている場合（ステップＳ１９１０）、入力部４０２から操作することで、出力部４０３に「マスターメンテ画面」を表示する起動作業を実施する（ステップＳ１９１１）。
【０１６７】
□お知らせ画面の表示
メニュー画面１０００（図１０）の「お知らせ画面へ」ボタン１００５を入力部４０２から操作することで（ステップＳ１９１２）、出力部４０３にお知らせ画面９００（図９）を表示する起動作業を実施する（ステップＳ１９２９、Ｓ１８０１）。
【０１６８】
□ログイン画面の表示
メニュー画面１０００（図１０）のログアウトボタン１００６を入力部４０２から操作することで（ステップＳ１９１２）、出力部４０３にログイン画面８００（図８）を表示する起動作業を実施する（ステップＳ１９２８、Ｓ１７０１）。
【０１６９】
□画面終了
画面終了は、利用者がお知らせ画面９００（図９）を表示するために、メニュー画面１００（図１０）の「お知らせ画面へ」ボタン１００５を入力部４０２から操作すること（ステップＳ１９２９）、または、ログアウトボタン１００６を入力部４０２から操作すること（ステップＳ１９２８）、または、下記の「システム終了」作業で実施される。
【０１７０】
この際、利用者のシステム利用状況やシステム設定情報等のユーザー関連情報を取得し、サーバ３５０の内部記憶装置５０８に記憶させる（ステップＳ１９３２）。記憶されたこのユーザー関連情報は、利用者が再度Ｄ．Ｄ．Ｓ．Ｓを利用する際のサービス情報、またはＤ．Ｄ．Ｓ．Ｓのシステム管理情報として利用される。
【０１７１】
□システム終了
利用者がＤ．Ｄ．Ｓ．Ｓを終了する場合には（ステップＳ１９３１）、画面上の終了ボタン１００７を入力部４０２で操作し実施する（ステップＳ１９３３）。
【０１７２】
この際、利用者のシステム利用状況やシステム設定情報等のユーザー関連情報を取得し、サーバ３５０の内部記憶装置５０８に記憶させる（ステップＳ１９３２）。記憶されたこのユーザー関連ｎ情報は、利用者が再度Ｄ．Ｄ．Ｓ．Ｓを利用する際のサービス情報、またはＤ．Ｄ．Ｓ．Ｓのシステム管理情報として利用される。
【０１７３】
４．仕様書選択画面
図１１は本実施形態のＤ．Ｄ．Ｓ．Ｓの利用者が参照または作成する対象機種の設計仕様書（詳細設計）における仕様書入力テンプレートを選択するための仕様書選択画面を示す図である。また、図２０、図２１、図２２、図２３は本実施形態の詳細設計フェーズ・仕様書選択画面（図１１）における詳細設計選択の処理の流れを示すフローチャートである。
【０１７４】
更に、Ｄ．Ｄ．Ｓ．Ｓの利用者が参照、または作成する対象機種の設計仕様書（基本仕様、設計条件、構想設計）における仕様書入力テンプレートを選択するための画面や表紙、更新履歴を選択するための画面も同じような機能を有する。
【０１７５】
図１１の仕様書選択画面１１００において、１１０１は、メニュー画面１０００（図１０）の仕様書作成メニュー１００１と同様に機能する仕様書作成メニューである。
【０１７６】
１１０２は、メニュー画面１０００（図１０）の仕様書作成支援メニュー１００２と同様に機能する仕様書作成支援メニューである。
【０１７７】
１１０３は、メニュー画面１０００（図１０）のマスターメンテメニュー１００３と同様に機能するマスターメンテメニューである。
【０１７８】
１１０４は、機種名プルダウンメニュー１１０７からの個人登録データ（機種名）削除選択用ラジオボタンである。１１０５は、通常作成モードによる設計仕様書作成選択用ラジオボタンである。１１０６は、コピーモードによる設計仕様書作成選択用ラジオボタンである。
【０１７９】
１１０７は、メニュー画面１０００（図１０）により選択した設計仕様書フェーズにおいて、作成する機種名を選択するための機種名プルダウンメニューである。
【０１８０】
１１０８は、サブシステム名プルダウンメニュー１１０９からの個人登録データ（サブシステム名）削除選択用ラジオボタンである。
【０１８１】
１１０９は、メニュー画面１０００（図１０）により選択した設計仕様書フェーズにおいて、作成するサブシステム名を選択するためのサブシステム名プルダウンメニューである。
【０１８２】
１１１０は、要素名プルダウンメニュー１１１１からの個人登録データ（要素名）削除選択用ラジオボタンである。
【０１８３】
１１１１は、メニュー画面１０００（図１０）により選択した設計仕様書フェーズにおいて、作成する要素名を選択するための要素名プルダウンメニューである。
【０１８４】
１１１２は、メニュー画面１０００（図１０）により選択した設計仕様書フェーズ及び仕様書選択画面１１００（図１１）の機種名プルダウンメニュー１１０７、サブシステム名プルダウンメニュー１１０９、要素名プルダウンメニュー１１１１により選択した仕様書選択情報において、参照する設計ワークフローを表示するためのボタンである。
【０１８５】
１１１３は、メニュー画面１０００（図１０）により選択した設計仕様書フェーズ及び仕様書選択画面１１００の機種名プルダウンメニュー１１０７、サブシステム名プルダウンメニュー１１０９、要素名プルダウンメニュー１１１１により選択した仕様書選択情報において、作成する、または参照する仕様書入力テンプレート画面を表示するための表示ボタンである。
【０１８６】
１１１４は、メニュー画面１０００（図１０）により選択した設計仕様書フェーズ及び仕様書選択画面１１００（図１１）の個人登録データ（機種名）１１０４と機種名プルダウンメニュー１１０７によるか、または個人登録データ（サブシステム名）１１０８とサブシステム名プルダウンメニュー１１０９によるか、または個人登録データ（要素名）１１１１と要素名プルダウンメニュー１１１１により選択した仕様書選択情報において、仕様書入力テンプレートを削除するための削除ボタンである。
【０１８７】
１１１５は、メッセージフィールドである。このメッセージフィールド１１１５には、仕様書作成の作成状況や、その注意事項や、仕様書選択画面１１００での操作方法等が表示される。
【０１８８】
１１１６は、メニュー画面１０００（図１０）を表示するための戻るボタンである。戻るボタン１１１６をクリックすることで、仕様書選択画面１１００が消える。
【０１８９】
１１１７は、Ｄ．Ｄ．Ｓ．Ｓを終了するための終了ボタンである。終了ボタン１１１７をクリックすることで、仕様書選択画面１１００が消える。
【０１９０】
次に、図２０〜図２３のフローチャートについて説明する。
【０１９１】
図２０において、Ｄ．Ｄ．Ｓ．Ｓの利用者は、情報処理端末３０１からサーバ３５０にアクセスする（ステップＳ２００１）。これにより、サーバ３５０は、画面生成に必要なユーザー情報（ステップＳ２００２）、フェーズ情報（ステップＳ２００３）、機種情報（ステップＳ２００４）、サブシステム情報（ステップＳ２００５）、要素情報（ステップＳ２００６）等の補足情報を内部記憶装置５０８から取得する。次に、その取得情報を画面生成情報として設定する（ステップＳ２００８）。次に、その画面生成情報を情報処理端末３０１に送信することで、出力部４０３に詳細設計フェーズ・仕様書選択画面１１００（図１１）が表示される（ステップＳ２００９）。
【０１９２】
但し、詳細設計フェーズ・仕様書選択画面１１００（図１１）の表示は、ログイン画面８００（図８）において、ログインする利用者が正しく認証されている場合に限る。
【０１９３】
また、詳細設計フェーズ・仕様書入力テンプレートの作成権限のない利用者の場合には、機種名プルダウンメニュー１１０７から未登録オーダーの項目を選択する機能はない（ステップＳ２０１２）。
【０１９４】
また、サブシステム名プルダウンメニュー１１０９から未登録サブシステムの項目を選択する機能はない（ステップＳ２１２９）。
【０１９５】
また、要素名プルダウンメニュー１１１１から未登録要素の項目を選択する機能はない（ステップＳ２２４１）。
【０１９６】
更に、個人登録オーダー削除選択用ラジオボタン１１０４、個人登録サブシステム削除選択用ラジオボタン１１０８、個人登録要素削除選択用ラジオボタン１１１０、削除ボタン１１１４を利用する機能はない。
【０１９７】
尚、他の仕様書作成フェーズにおける仕様書選択画面１１００（図１１）の詳細説明は、基本的に同様のため省略する。
【０１９８】
□ユーザー情報の取得／仕様書作成フェーズ情報の取得
ログイン情報（ステップＳ１７０８、Ｓ１７０９、Ｓ１７１０）を基に、サーバ３５０の内部記憶装置５０８に記憶されている詳細設計フェーズ・仕様書選択画面１１００（図１１）の利用状況、設定情報等のユーザー情報を取得する（ステップＳ２００２）。
【０１９９】
また、取得したユーザー情報を基に、利用者に合せ、利用できる機能を操作するボタンや利用者権限機能別テーブル（図７）、仕様書作成フェーズ情報（ステップＳ２００３）等を詳細設計フェーズ・仕様書選択画面１１００（図１１）上に設定するために利用される（ステップＳ２００８）。
【０２００】
□詳細設計フェーズ・仕様書入力テンプレートの表示
利用者が詳細設計フェーズ・仕様書選択画面１１００（図１１）から参照、または作成する対象機種の詳細設計フェーズ・仕様書入力テンプレートを表示する場合には、第一に、該当する機種名を機種名プルダウンメニュー１１０７から選択する（ステップＳ２０１１）。これにより、サブシステム名プルダウンメニュー１１０９が選択可能状態となる。
【０２０１】
第二に、該当するサブシステム名をサブシステム名プルダウンメニュー１１０９から選択する（ステップＳ２１２８）。これにより、要素名プルダウンメニュー１１１１が選択可能状態となる。
【０２０２】
第三に、該当する要素名を要素名プルダウンメニュー１１１１から選択する（ステップＳ２２４０）。これにより、表示ボタン１１１３が選択可能状態となる。
【０２０３】
第四に、詳細設計フェーズ・仕様書入力テンプレートを表示するための選択条件（機種名とサブシステム名と要素名）が決定後、選択可能状態となった表示ボタン１１１３を入力部４０２から操作することで（ステップＳ２２４９）、選択条件とサーバ３５０の内部記憶装置５０８に記憶されているデータを基に、出力部４０３に図１２と同じような「詳細設計フェーズ・仕様書入力テンプレート画面」を表示する起動作業を実施する（ステップＳ２２５１、Ｓ２４０１）。
【０２０４】
□未登録オーダー名の選択
機種名プルダウンメニュー１１０７に表示されていない機種を選択したい場合には、未登録オーダーの項目を選択する（ステップＳ２０１１）。
【０２０５】
未登録オーダーの項目を選択した場合には（ステップＳ２０１２）、サーバ３５０の内部記憶装置５０８に記憶されている製品タイプの情報を基に、出力部４０３に未登録オーダー登録画面が詳細設計フェーズ・仕様書選択画面１１００（図１１）の前面に表示される（ステップＳ２０１３）。この未登録オーダー登録画面から必要事項を登録すると、個人登録オーダー情報（機種名）として機種名プルダウンメニュー１１０７に追加表示される。
【０２０６】
□未登録サブシステム名の選択
サブシステム名プルダウンメニュー１１０９に表示されていないサブシステムを選択したい場合には、未登録サブシステムの項目を選択する（ステップＳ２１２８）。
【０２０７】
未登録サブシステムの項目を選択した場合には（ステップＳ２１２９）、サーバ３５０の内部記憶装置５０８に記憶されているサブシステムタイプの情報を基に、出力部４０３に未登録サブシステム登録画面が詳細設計フェーズ・仕様書選択画面１１００（図１１）の前面に表示される（ステップＳ２１３０）。この未登録サブシステム登録画面から必要事項を登録すると、個人登録サブシステム情報（サブシステム名）としてサブシステム名プルダウンメニュー１１０９に追加表示される。
【０２０８】
□未登録要素名の選択
要素名プルダウンメニュー１１１１に表示されていない要素を選択したい場合には、未登録要素の項目を選択する（ステップＳ２２４０）。
【０２０９】
未登録要素の項目を選択した場合には（ステップＳ２２４１）、サーバ３５０の内部記憶装置５０８に記憶されている要素タイプの情報を基に、出力部４０３に未登録要素登録画面が詳細設計フェーズ・仕様書選択画面１１００（図１１）の前面に表示される（ステップＳ２２４２）。この未登録要素登録画面から必要事項を登録すると、個人登録要素情報（要素名）として要素名プルダウンメニュー１１１１に追加表示される。
【０２１０】
□個人登録オーダーの削除
個人登録オーダー削除選択用ラジオボタン１１０４を入力部４０２からチェックし、機種名プルダウンメニュー１１０７から削除する個人登録オーダー名を選択する（ステップＳ２０１５）。続いて、削除ボタン１１１４を入力部４０２からクリックすると（ステップＳ２０１６）、選択されている個人登録オーダー名がサーバ３５０の内部記憶装置５０８から削除される（ステップＳ２０１７）。これにより、機種名プルダウンメニュー１１０７は、初期表示状態に戻り、先の選択された個人登録オーダー名の項目は削除される（ステップＳ２０１１）。
【０２１１】
□個人登録サブシステムの削除
個人登録サブシステム削除選択用ラジオボタン１１０８を入力部４０２からチェックし、サブシステム名プルダウンメニュー１１０９から削除する個人登録サブシステム名を選択する（ステップＳ２１３２）。続いて、削除ボタン１１１４を入力部４０２からクリックすると（ステップＳ２１３３）、選択された個人登録サブシステム名はサーバ３５０の内部記憶装置５０８から削除される（ステップＳ２１３４）。これにより、サブシステム名プルダウンメニュー１１０９は、初期表示状態に戻り、先の選択された個人登録サブシステム名の項目は削除される（ステップＳ２１２８）。
【０２１２】
□個人登録要素の削除
個人登録要素削除選択用ラジオボタン１１１０を入力部４０２からチェックし、要素名プルダウンメニュー１１１１から削除する個人登録要素名を選択する（ステップＳ２２４４）。続いて、削除ボタン１１１４を入力部４０２からクリックすると（ステップＳ２２４５）、選択された個人登録要素名はサーバ３５０の内部記憶装置５０８から削除される（ステップＳ２２４６）。この際、要素名プルダウンメニュー１１１１は、初期表示状態に戻り、先の選択された個人登録要素名の項目は削除される（ステップＳ２２４０）。
【０２１３】
□コピーフラグの設定
図１１のような仕様書選択画面の表示ボタン１１１３を押す前に（ステップＳ２０１８、ステップＳ２１３５、ステップＳ２２４７）、コピーモード選択用ラジオボタン１１０６を選択すると、先の選択条件（機種名のプルダウンメニュー１１０７、サブシステム名のプルダウンメニュー１１０９、要素名のプルダウンメニュー１１１１）で絞り込まれた仕様書の選択条件を基に、該当する詳細設計フェーズ・仕様書入力テンプレートがサーバー３５０に登録されているかを検索する。
【０２１４】
サーバー３５０に該当するデータがある場合には、その詳細設計フェーズ・仕様書入力テンプレート、及びその入力情報をコピーモードで表示する。この際、サーバー３５０上にあるシステム上の共有パラメータのコピーフラグを０から１などに変更（設定）する（ステップＳ２０１９、ステップＳ２１３６、ステップＳ２２４８）。更に、コピーモードで表示された詳細設計フェーズ・仕様書入力テンプレートなどを閉じる場合や、続けて表示ボタン１１１３を押した場合には、先に設定されたコピーフラグを１から０などに変更（解除）する（ステップＳＳ２０２１、ステップＳ２１３８、ステップＳ２２５０）。
【０２１５】
また、サーバー３５０に該当データがない場合には、「該当データがありません。」などの警告が仕様書選択画面（図１１）の１１１５の適当な空きスペースに表示される。
【０２１６】
□コピーモードによる詳細設計フェーズ・仕様書入力テンプレートの表示
通常の詳細設計フェーズ・仕様書入力テンプレートを表示する手順を踏み、詳細設計フェーズ・仕様書選択画面１１００（図１１）のコピーモード選択用ラジオボタン１１０６を入力部４０２からチェックすることで（ステップＳ２０１８、ステップＳ２１３５、ステップＳ２２４７）、出力部４０３に図１２と同じような「詳細設計フェーズ・仕様書入力テンプレート画面」をコピーモードで表示する起動作業を実施する（ステップＳ２０２２、ステップＳ２１３９、ステップＳ２２５１）。
【０２１７】
□詳細設計フェーズにおける設計ワークフローの表示
詳細設計フェーズ・仕様書選択画面１１００（図１１）の「Ｄ．ＮＡＶＩ」ボタン１１１２を入力部４０２から操作することで（ステップＳ２０１０、ステップＳ２０１４、ステップＳ２１３１、ステップＳ２２４３）、出力部４０３に「詳細設計フェーズ・設計ワークフロー画面」を表示する起動作業を実施する（ステップＳ２３５２、ステップＳ２３５３、ステップＳ２３５６、ステップＳ２３５９、ステップＳ２３６２）。
【０２１８】
詳細設計フェーズ・仕様書選択画面（図１１）のＤ．ＮＡＶＩボタン１１１２を押すと、先の選択条件（機種名のプルダウンメニュー１１０７、サブシステム名のプルダウンメニュー１１０９、要素名のプルダウンメニュー１１１１）で絞り込まれた仕様書の選択条件を基に、該当する設計ワークフローがサーバー３５０に登録されているかを仕様書入力テンプレートの連携情報マスターテーブル（図４７）を検索する。
【０２１９】
サーバー３５０に該当する設計ワークフローのデータがある場合には、その設計ワークフロー図を表示する。
【０２２０】
この他に、設計ワークフロー図の表示は、仕様書入力テンプレート画面（図１２）の項目名１２１３の内容からも可能になっている。
【０２２１】
表示できる項目名１２１３の内容は、仕様書入力テンプレートの連携情報マスターテーブル（図４７）の連携ＩＤとリンクが張られていて、マウスクリックすることで、その項目名１２１３の内容に関する設計ワークフロー図が表示される。この場合には、先の仕様書選択画面（図１１）よりも設計フローが絞り込まれた形で表示される。更に、表示された設計ワークフロー図から上下階層への移動や関連情報の表示が図４７のような仕様書入力テンプレートの連携情報マスターテーブルなどを通して可能である（ステップＳ２３５４、ステップＳ２３５５、ステップＳ２３５７、ステップＳ２３５８、ステップＳ２３６０、ステップＳ２３６１、ステップＳ２３６３）。
【０２２２】
また、サーバー３５０に該当データがない場合には、「該当データがありません。」などの警告が仕様書選択画面（図１１）の１１１５の適当な空きスペースに表示される。
【０２２３】
また、項目情報マスターテーブル（図３６）の項目名に関連付けられた項目連携ＩＤと連携情報マスターテーブル（図４７）の連携ＩＤから一致する情報を取得先アドレスを通し、参照情報（ファイル名）を表示することが可能になっている。
【０２２４】
□メニュー画面に戻る／画面終了
詳細設計フェーズ・仕様書選択画面１１００（図１１）の戻るボタン１１１６を入力部４０２から操作することで（ステップＳ２０２４）、出力部４０３にメニュー画面１０００（図１０）を表示する起動作業を実施する（ステップＳ２０２５、ステップＳ１９０１）。
【０２２５】
この際、利用者のシステム利用状況やシステム設定情報等のユーザー関連情報を取得し、サーバ３５０の内部記憶装置５０８に記憶させる（ステップＳ２０２６）。記憶されたこのユーザー関連情報は、利用者が再度Ｄ．Ｄ．Ｓ．Ｓを利用する際のサービス情報、またはＤ．Ｄ．Ｓ．Ｓのシステム管理情報として利用される。
【０２２６】
□システム終了
利用者がＤ．Ｄ．Ｓ．Ｓを終了する場合には（ステップＳ２０２３）、画面上の終了ボタン１１１７を入力部４０２で操作し実施する（ステップＳ２０２７）。
【０２２７】
この際、利用者のシステム利用状況やシステム設定情報等のユーザー関連情報を取得し、サーバ３５０の内部記憶装置５０８に記憶させる（ステップＳ２０２６）。記憶されたこのユーザー関連情報は、利用者が再度Ｄ．Ｄ．Ｓ．Ｓを利用する際のサービス情報、またはＤ．Ｄ．Ｓ．Ｓのシステム管理情報として利用される。
【０２２８】
５．仕様書入力テンプレート画面
図１２は本実施形態のＤ．Ｄ．Ｓ．Ｓの利用者が参照、または作成する対象機種の設計仕様書（構想設計）における仕様書入力テンプレート画面を示す図である。また、図２４、図２５、図２６、図２７、図２８、図２９は本実施形態の構想設計フェーズ・仕様書入力テンプレート画面（図１２）における構想設計の処理の流れを示すフローチャートである。
【０２２９】
更に、Ｄ．Ｄ．Ｓ．Ｓの利用者が参照、または作成する対象機種の設計仕様書（基本仕様、設計条件、構想設計）における仕様書入力テンプレート画面も同じような機能を有する。
【０２３０】
図１２の仕様書入力テンプレート画面１２００において、１２０１は、仕様書入力テンプレートの表題部である。この表題部１２０１には、仕様書の作成フェーズ、対象機種名、ベース機種名やベース機種設定ボタン１２０４、チェック範囲設定ボタン１２０５等の仕様書入力テンプレートに関する仕様書入力テンプレート情報が表示される。
【０２３１】
１２０２は、仕様書入力テンプレート作成に利用できる作業項目を選択するための作業名プルダウンメニューである。この作業名プルダウンメニュー１２０２の作業項目の内容には、データ入力、行挿入、行削除、仕掛り中設定、仕掛り中解除、完成信頼度（３０％）設定、完成信頼度（６０％）設定、完成信頼度（９０％）設定、完成信頼度解除、吹出し入力等がある。
【０２３２】
但し、これらの作業項目の内容は、利用者の利用者権限機能別テーブル（図７）や表示される仕様書入力テンプレート等により異なる。例えば、表示した仕様書入力テンプレートの作成権限がある利用者には、すべての作業項目が表示されるが、作成権限がない利用者には、吹出し入力のみが表示される。
【０２３３】
１２０３は、作業名プルダウンメニュー１２０２で選択された作業項目を実行するための実行ボタンである。各作業項目の詳細説明については、後述する。
【０２３４】
１２０４は、ベース機種を設定するためのベース機種設定画面を表示するためのベース機種設定ボタンである。通常、この設定は、自工程の仕様書入力テンプレートの作成に対する縛りに利用する。設計仕様書作成の縛りの詳細説明については、後述する。
【０２３５】
１２０５は、仕様書入力テンプレート作成時に、確認すべきドキュメント等を設定するためのチェック範囲設定画面を表示するためのチェック範囲設定ボタンである。通常、この設定は、自工程の仕様書入力テンプレートの作成に対する縛りではなく、他工程の仕様書入力テンプレートの作成に対する縛りに利用する。設計仕様書作成の縛りの詳細説明については、後述する。
【０２３６】
１２１７は、ベース機種設定の有無、または状況を表示する表示フィールドである。この表示フィールド１２１７には、ベース機種設定画面により、ベース機種が設定される前は、「未設定」が表示される。一方、設定後は、「設定済み」が表示される。
【０２３７】
１２１８は、チェック範囲設定の有無、または状況を表示する表示フィールドである。この表示フィールド１２１８には、チェック範囲設定画面により、チェック範囲が設定される前は、「未設定」が表示される。一方、設定後は、「設定済み」が表示される。
【０２３８】
１２０６、１２２５は、仕様書入力テンプレートの作成作業を終了する（仕様書入力テンプレート作成画面１２００を閉じる）ための閉じるボタンである。
【０２３９】
１２０７は、ベース機種設定画面により、ベース機種が設定される後に入力が可能となる範囲である。
【０２４０】
１２０８は、仕様書入力テンプレートを構成する行を１行選択するためのラジオボタンである。このラジオボタン１２０８は、左右端に表示されており、連動して動作する。例えば、はじめ、左右端のラジオボタン１２０８のチェックが上から１番目の項目の行に表示されている場合、左端に表示されているラジオボタン１２０８のチェックを上から１番目から５番目に変更すると、右端をチェックしなくても連動し、右端のチェックが５番目に移動する。
【０２４１】
１２０９は、吹出しフラグ（ＦＦ）を表示するフラグ領域となる表示フィールド（ＦＦ欄）である。吹出しフラグ（ＦＦ）は、選択された行の項目名１２１３に関する仕様書作成者と仕様書閲覧者間の記述内容の質疑状況を示すフラグである。
【０２４２】
１２２１は、質問待ちの吹出しフラグである。このフラグ１２２１は、質問待ちの吹出しフラグが位置している行の項目名１２１３の記述事項に関する利用者からの質問入力を要求することを示している。
【０２４３】
１２２２は、回答待ちの吹出しフラグである。このフラグ１２２２は、回答待ちの吹出しフラグが位置している行の項目名１２１３の記述事項に関する利用者からの質問入力があり、利用者にその回答入力を要求することを示している。
【０２４４】
１２２３は、確認待ちの吹出しフラグである。このフラグ１２２３は、確認待ちの吹出しフラグが位置している行の項目名１２１３の記述事項に関する利用者からの質疑応答入力があり、質問入力者にその承認入力を要求することを示している。
【０２４５】
１２２４は、承認済みの吹出しフラグである。このフラグ１２２４は、承認済みの吹出しフラグが位置している行の項目名１２１３の記述事項に関する利用者からの質疑応答入力があり、質問入力者からの承認入力が済んでいることを示している。
【０２４６】
１２１０は、仕掛り中フラグ（ＳＦ）を表示する表示フィールドである。表示フィールド内には、仕掛り中フラグ（ＳＦ）を表示する行を複数選択するためのチェックボックがある。
【０２４７】
１２２０は、仕掛り中フラグである。仕掛り中フラグ１２２０は、選択された行の項目名１２１３の入力部（１２１４、１２１５、１２１６）の記述が作成途中であることを示すフラグである。仕掛り中フラグ１２２０には、仕掛り中フラグ１２２０が１つあるが、仕様・機能１２１４等の入力部（１２１４、１２１５、１２１６）の仕掛り中に合わせて複数用意することや、重み付けされた項目の仕掛り中に合わせて複数用意することや、完成信頼度の機能を兼ね備えた形式で複数用意することができる。仕掛り中フラグ（ＳＦ）の詳細説明については、後述する。
【０２４８】
１２１１は、完成信頼度（ＫＳ）を表示する表示フィールドである。表示フィールド１２１１内には、完成信頼度（ＫＳ）を表示する行を複数選択するためのチェックボックがある。
【０２４９】
１２１９は、完成信頼度である。この完成信頼度１２１９は、選択された行の項目名１２１３の入力部（１２１４、１２１５、１２１６）の記述がどのぐらいの信頼度を持って完成しているのかを設計仕様書の作成者が示す数値である。完成信頼度１２１９には、完成信頼度３０％、完成信頼度６０％、完成信頼度９０％等のいくつかの種類があるが、設計仕様書の作成承認者、有識者による完成信頼度（ＫＳ）を表示する表示フィールドを複数用意することで更に種類を増やし完成信頼度の認知を容易にすることができる。
【０２５０】
１２１２は、仕様書入力テンプレートを構成する項目毎にユニークに割り付けられた管理番号（項目Ｎｏ．）を表示する表示フィールドである。管理番号（項目Ｎｏ．）の表示位置は、仕様書入力テンプレートの標準的な入力順番を表している。例えば、管理番号（項目Ｎｏ．）のユニーク性は、基本仕様フェーズの管理番号（項目Ｎｏ．）がＡと４桁の数字で管理され、設計条件フェーズの管理番号（項目Ｎｏ．）がＢと４桁の数字で管理され、構想設計フェーズの管理番号（項目Ｎｏ．）がＣと４桁の数字で管理され、詳細設計フェーズの管理番号（項目Ｎｏ．）がＤと４桁の数字で管理されることで保たれる。
【０２５１】
１２１３は、仕様書入力テンプレートを構成する項目名を表示する表示フィールドである。項目名には、予め標準化された標準項目と、作業名プルダウンメニュー１２０２からの行挿入機能を利用し、追加された追加項目がある。これらの標準項目と背景項目の背景色を互いに異ならせることで、標準項目と追加項目とを容易に識別することができる。
【０２５２】
これらを区別する情報は、予めサーバ３５０の内部記憶装置５０８に記憶されている図３６の仕様書入力テンプレートの項目情報マスターテーブル（機種別サブシステム別）等から取得する。この記憶された情報は、利用者権限機能別テーブル（図７）より、マスターメンテ権限のある利用者が情報処理端末３０１からサーバ３５０にアクセスし、マスターメンテ画面を使用して変更することが可能である。
【０２５３】
１２１４は、仕様書入力テンプレートを構成する項目名１２１３に対する「仕様・機能」に関する情報を入力する入力フィールドである。入力フィールド１２１４には、通常の入力フィールドと必須入力フィールドの２種類がある。これらを区別する情報は、予めサーバ３５０の内部記憶装置５０８に記憶されている図３５の仕様書入力テンプレートの属性情報マスターテーブル（機種別サブシステム別）等から取得する。
【０２５４】
この記憶された情報は、利用者権限機能別テーブル（図７）より、マスターメンテ権限のある利用者が情報処理端末３０１からサーバ３５０にアクセスし、マスターメンテ画面を使用して変更することが可能である。この機能については、他の入力フィールドでも同様であるが、この「仕様・機能」１２１４は、項目名１２１３の１つ右隣に位置する入力フィールドである。この項目名１２１３の１つ右隣に位置する入力フィールドは、デフォルトで必須入力フィールドに固定されている。
【０２５５】
１２１５は、仕様書入力テンプレートを構成する項目名１２１３に対する「考え方」、「懸案事項」に関する情報を入力する入力フィールドである。
【０２５６】
１２１６は、仕様書入力テンプレートを構成する項目名１２１３に対するメカ「Ｍ」、プロセス「Ｐ」、実装「ＥＨ」、ソフト「Ｓ」、コンポ「Ｃ」、アクセサリ「Ａｃ」についての関連の有無情報を入力する入力フィールドである。
【０２５７】
次に、図２４〜図２９のフローチャートについて説明する。
【０２５８】
Ｄ．Ｄ．Ｓ．Ｓの利用者は、情報処理端末３０１からサーバ３５０にアクセスする（ステップＳ２４０１）。これにより、サーバ３５０は、画面生成に必要なユーザー情報（ステップＳ２４０２）、フェーズ情報（ステップＳ２４０３）、仕様書選択情報（ステップＳ２４０４）、利用者選択項目（ステップＳ２４０５）、テンプレート情報（ステップＳ２４０６）、項目別登録データ（ステップＳ２４０７）等の補足情報を内部記憶装置５０８から取得する。
【０２５９】
次に、その取得情報を画面生成情報として設定する（ステップＳ２４０８）。次に、その画面生成情報を、情報処理端末３０１に送信することで、出力部４０３に構想設計フェーズ・仕様書入力テンプレート画面１２００（図１２）が表示される（ステップＳ２４０９）。但し、構想設計フェーズ・仕様書入力テンプレート画面１２００（図１２）の表示は、ログイン画面８００（図８）において、ログインする利用者が正しく認証されている場合に限る。
【０２６０】
尚、他の仕様書作成フェーズにおける仕様書入力テンプレート画面１２００（図１２）の詳細説明は、基本的に同様のため省略する。
【０２６１】
□構想設計フェーズ・仕様書入力テンプレートのデータ入力
構想設計フェーズ・仕様書入力テンプレート画面１２００（図１２）の入力部（１２１４、１２１５、１２１６等）のデータを追加修正する場合の操作方法は（ステップＳ２４１０）、入力する項目名１２１３を確認し、入力する項目名１２１３に対応するラジオボタン１２０８を選択し（ステップＳ２５０１）、実行する作業項目の内容を作業名プルダウンメニュー１２０２から選択する（ステップＳ２５０２）。
【０２６２】
但し、このときに「データ入力」の作業項目を選択し（ステップＳ２５０３）、実行ボタン１２０３をマウスクリックし（ステップＳ２５０４）、データ入力画面（図１３）を起動させ（ステップＳ２５０５）、この起動したデータ入力画面（図１３）を使用し、入力部（１２１４、１２１５、１２１６等）のデータを追加修正する。このデータ入力画面（図１３）の詳細説明については、後述する。
【０２６３】
□構想設計フェーズ・仕様書入力テンプレートの行挿入
構想設計フェーズ・仕様書入力テンプレートの行挿入は、設計仕様書（仕様書入力テンプレート）を作成中に必要性が発生した項目名を追加項目として、その作成者の判断で適宜追加することができる。構想設計フェーズ・仕様書入力テンプレート画面１２００（図１２）の項目Ｎｏ．１２１２がＣ００１１とＣ００１２にあるように、予め標準項目の行と区別できるように、背景色を変える等の表面上の違いが明確になる。
【０２６４】
構想設計フェーズ・仕様書入力テンプレートの行挿入の操作方法は（ステップＳ２４１０）、挿入する行位置を確認し、挿入する行位置の下の項目名１２１３に対応するラジオボタン１２０８を選択し（ステップＳ２５０１）、実行する作業項目の内容を作業名プルダウンメニュー１２０２から選択する（ステップＳ２５０２）。
【０２６５】
但し、このときに「行挿入」の作業項目を選択し（ステップＳ２５０６）、実行ボタン１２０３をマウスクリックし（ステップＳ２５０７）、チェックしたラジオボタン１２０８の上側に追加項目の行が挿入される（ステップＳ２５０８）。このとき、追加した行の項目Ｎｏ．１２１２には最新番号が記述され、項目名１２１３には何も記載がない。項目名１２１３に名称を記述するためには、先のデータ入力画面（図１３）を使用する。
【０２６６】
□構想設計フェーズ・仕様書入力テンプレートの行削除
構想設計フェーズ・仕様書入力テンプレートの行削除は、不必要な追加項目の行を削除することができる機能である。但し、予め記憶されている標準項目に関しては、構想設計フェーズ・仕様書入力テンプレート画面１２００（図１２）から削除することはできない。適切な利用者権限機能別テーブル（図７）のある利用者がマスターメンテ画面を使うことで可能である。
【０２６７】
構想設計フェーズ・仕様書入力テンプレートの行削除の操作方法は（ステップＳ２４１０）、削除する行位置を確認し、削除する追加項目の行位置の項目名１２１３に対応するラジオボタン１２０８を選択し（ステップＳ２５０１）、実行する作業項目の内容を作業名プルダウンメニュー１２０２から選択する（ステップＳ２５０２）。
【０２６８】
但し、このときに「行削除」の作業項目を選択し（ステップＳ２５０９）、実行ボタン１２０３をマウスクリックし（ステップＳ２５１０）、チェックしたラジオボタン１２０８の追加項目の行が削除される（ステップＳ２５１１、ステップＳ２５１２）。
【０２６９】
ここで、表示されるている行には２種類あり、１つは、項目情報マスターテーブル（図３６）での項目区分の「標準」で、もう１つは、項目区分の「追加」でである。「標準」は、デフォルトに設定されている行であることを示し、マスターメンテナンス権限があるユーザーがしかるべきマスターメンテナンス画面を利用し、変更することが可能な行を示している。「追加」は、追加挿入された行であることを示している。
【０２７０】
□構想設計フェーズ・仕様書入力テンプレートの仕掛り中フラグ設定
構想設計フェーズ・仕様書入力テンプレートの仕掛り中フラグ１２２０の設定は、入力部（１２１４、１２１５、１２１６等）の記述内容が未作成中であることを設定する。
【０２７１】
構想設計フェーズ・仕様書入力テンプレートの仕掛り中フラグ設定の操作方法は（ステップＳ２４１１）、仕掛り中フラグ１２２０を設定する入力部（１２１４、１２１５、１２１６等）を確認し、仕掛り中フラグ１２２０を設定する入力部（１２１４、１２１５、１２１６等）に対応したＳＦ欄１２１０のチェックボックスを選択し（ステップＳ２６０１）、実行する作業項目の内容を作業名プルダウンメニュー１２０２から選択する（ステップＳ２６０２）。
【０２７２】
但し、このときに「仕掛り中設定」の作業項目を選択し（ステップＳ２６０３）、実行ボタン１２０３をマウスクリックし（ステップＳ２６０４）、選択したＳＦ欄１２１０に仕掛り中フラグ１２２０が表示される（ステップＳ２６０５）。
【０２７３】
□構想設計フェーズ・仕様書入力テンプレートの仕掛り中フラグ解除
構想設計フェーズ・仕様書入力テンプレートの仕掛り中フラグ１２２０の解除は、先に設定した仕掛り中フラグ１２２０を解除するための機能である。
【０２７４】
構想設計フェーズ・仕様書入力テンプレートの仕掛り中フラグ解除の操作方法は（ステップＳ２４１１）、仕掛り中フラグ１２２０を解除する入力部（１２１４、１２１５、１２１６等）を確認し、仕掛り中フラグ１２２０を解除する入力部（１２１４、１２１５、１２１６等）に対応したＳＦ欄１２１０のチェックボックスを選択し（ステップＳ２６０１）、実行する作業項目の内容を作業名プルダウンメニュー１２０２から選する（ステップＳ２６０２）。
【０２７５】
但し、このときに「仕掛り中解除」の作業項目を選択し（ステップＳ２６０６）、実行ボタン１２０３をマウスクリックし（ステップＳ２６０７）、選択したＳＦ欄１２１０の仕掛り中フラグ１２２０が削除される（ステップＳ２６０９）。
【０２７６】
□構想設計フェーズ・仕様書入力テンプレートの完成信頼度設定
構想設計フェーズ・仕様書入力テンプレートの完成信頼度（９０％、または６０％、または３０％等）１２１９の設定は、入力部（１２１４、１２１５、１２１６等）の記述内容がどのぐらいの信頼度を持って完成しているのかの数値を設定する。
【０２７７】
構想設計フェーズ・仕様書入力テンプレートの完成信頼度設定の操作方法は（ステップＳ２４１２）、完成信頼度（９０％、または６０％、または３０％等）１２１９を設定する入力部（１２１４、１２１５、１２１６等）を確認し、設計仕様書の作成者が完成信頼度を判断し、適切と判断する完成信頼度の数値を設定する。設定する数値が異なる場合でも操作方法は同じである。例えば、完成信頼度の数値が９０％に値する入力部（１２１４、１２１５、１２１６等）の場合、対応したＫＳ欄１２１１のチェックボックスを選択し（ステップＳ２７０１）、実行する作業項目の内容を作業名プルダウンメニュー１２０２から選択する（ステップＳ２７０２）。
【０２７８】
但し、このときに「完成信頼度９０％設定」の作業項目を選択し（ステップＳ２７０９）、実行ボタン１２０３をマウスクリックし（ステップＳ２７１０）、選択したＫＳ欄１２１１に完成信頼度の数値の９０％が表示される（ステップＳ２７１１）。
【０２７９】
□構想設計フェーズ・仕様書入力テンプレートの完成信頼度解除
構想設計フェーズ・仕様書入力テンプレートの完成信頼度（９０％、または６０％、または３０％等）１２１９の解除は、先に設定した完成信頼度（９０％、または６０％、または３０％等）１２１９を解除するための機能である。このとき、完成信頼度（９０％、または６０％、または３０％等）の設定値によって、解除を実行することの制限がかけられる（ステップＳ２７１４）。
【０２８０】
構想設計フェーズ・仕様書入力テンプレートの完成信頼度解除の操作方法は（ステップＳ２４１２）、完成信頼度（９０％、または６０％、または３０％等）１２１９を解除する入力部（１２１４、１２１５、１２１６等）を確認し、完成信頼度（９０％）１２１９を解除する入力部（１２１４、１２１５、１２１６等）に対応したＫＳ欄１２１１のチェックボックスを選択し（ステップＳ２７０１）、実行する作業項目の内容を作業名プルダウンメニュー１２０２から選択する（ステップＳ２７０２）。
【０２８１】
但し、このときに「完成信頼度解除」の作業項目を選択し（ステップＳ２７１２）、実行ボタン１２０３をマウスクリックし（ステップＳ２７１３）、選択したＫＳ欄１２１１の完成信頼度（９０％）１２１９が削除される（ステップＳ２７１５）。
【０２８２】
□構想設計フェーズ・仕様書入力テンプレートの吹出し入力
構想設計フェーズ・仕様書入力テンプレートの作成時に、記載された仕様書の項目単位に、質問事項を記述するための機能である。
【０２８３】
構想設計フェーズ・仕様書入力テンプレートのＦＦ欄１２０９に質問事項を入力する場合の操作方法は（ステップＳ２４１３、ステップＳ２８０１）、入力する項目名１２１３の入力部（１２１４、１２１５、１２１６等）情報を確認し、入力する項目名１２１３に対応するＦＦ欄１２０９内の質問待ち１２２１の吹出しフラグのアイコンをマウスクリックし（ステップＳ２８０３）、吹出し入力画面（図１４）を起動させ（ステップＳ２８０４）、この起動した吹出し入力画面（図１４）を使用し、質問事項を入力する。質問事項を入力し（ステップＳ２８０５）、サーバ３５０に登録されると、入力した質問待ち１２２１の吹出しフラグのアイコンが回答待ち１２２２の吹出しフラグのアイコンに変化する（ステップＳ２８０６）。この吹出し入力画面（図１４）の詳細説明については、後述する。
【０２８４】
□構想設計フェーズ・仕様書入力テンプレートの吹出し表示
構想設計フェーズ・仕様書入力テンプレートの作成時に、項目単位に記述された質問事項に対する回答事項、承認事項を記述するための機能である。
【０２８５】
構想設計フェーズ・仕様書入力テンプレートのＦＦ欄１２０９に回答事項を入力する場合の操作方法は（ステップＳ２４１３、ステップＳ２８０１）、入力する項目名１２１３の入力部（１２１４、１２１５、１２１６等）情報を確認し、入力する項目名１２１３に対応するＦＦ欄１２０９内の回答待ち１２２２の吹出しフラグのアイコンをマウスクリックし（ステップＳ２８０７）、吹出し表示画面（図１５）を起動させ（ステップＳ２８０８）、この起動した吹出し表示画面（図１５）を使用し、回答事項を入力する。
【０２８６】
回答事項を入力し（ステップＳ２８０９）、サーバ３５０に登録されると、入力した回答待ち１２２２の吹出しフラグのアイコンが確認待ち１２２３の吹出しフラグのアイコンに変化する（ステップＳ２８１２）。
【０２８７】
この際、回答者が吹出し入力画面（図１４）で指定され、指定された回答者の場合には（ステップＳ２８１０）、承認事項の入力作業を省略し（ステップＳ２８１１）、承認済み１２２４の吹出しフラグのアイコンに変化する（ステップＳ２８１６）。
【０２８８】
また、構想設計フェーズ・仕様書入力テンプレートのＦＦ欄１２０９に承認事項を入力する場合の操作方法は（ステップＳ２４１３、ステップＳ２８０１）、入力する項目名１２１３の入力部（１２１４、１２１５、１２１６等）情報を確認し、入力する項目名１２１３に対応するＦＦ欄１２０９内の確認待ち１２２３の吹出しフラグのアイコンをマウスクリックし（ステップＳ２８１３）、吹出し表示画面（図１５）を起動させ（ステップＳ２８１４）、この起動した吹出し表示画面（図１５）を使用し、承認事項を入力する。
【０２８９】
承認事項を入力し（ステップＳ２８１５）、サーバ３５０に登録されると、入力した確認待ち１２２２の吹出しフラグのアイコンが承認済み１２２３の吹出しフラグのアイコンに変化する（ステップＳ２８１６）。この吹出し表示画面（図１５）の詳細説明については、後述する。
【０２９０】
□構想設計フェーズ・仕様書入力テンプレートのその他の処理
上述のステップＳ２４１０、ステップＳ２４１１、ステップＳ２４１２、ステップＳ２４１３以外の処理は、構想設計フェーズ・仕様書入力テンプレート画面１２００（図１２）に対する操作に応じて、処理を実行する（ステップＳ２４１４）。
【０２９１】
□構想設計フェーズ・仕様書入力テンプレートの移行処理
構想設計フェーズ・仕様書入力テンプレートの作成作業を終了する場合（ステップＳ２４１５）、次工程の移行処理を実行する（ステップＳ２４１６、Ｓ２９０１）。移行処理では、作成していた（移行を判定する）仕様書入力テンプレートの作成情報を取得し（ステップＳ２９０２）、移行判定条件を取得して、移行判定する（ステップＳ２９０３）。
【０２９２】
例えば、作成情報（ステップＳ２９０２）は、図３４の作成情報テーブルの仕様書管理記号をキーに、構想設計フェーズの仕様書管理記号の「Ｃ」や移行判定基準の「３」等を取得する。
【０２９３】
また、移行判定条件（ステップＳ２９０３）は、先に取得した移行判定基準の「３」をキーに、図３９の移行判定テーブルから属性情報入力条件（ステップＳ２９０４）、仕掛り中フラグ設定条件（ステップＳ２９０５）、完成信頼度入力条件（ステップＳ２９０６）、吹出しフラグ設定条件（ステップＳ２９０７）等の移行判定条件（ステップＳ２９０３）を取得する。
【０２９４】
これらの取得情報を基に、属性情報入力条件として、項目の重み指定有りの全ての属性が入力済みであるかを、先に取得した仕様書管理記号の「Ｃ」をキーに、図３６の項目情報マスターテーブルからの項目重み指定有無データ、図３７の属性入力データテーブルからの必須入力指定有無や属性データ等を取得し、確認する（ステップＳ２９０４）。
【０２９５】
更に、仕掛り中フラグ設定条件として、未入力の項目に仕掛り中フラグが設定されているかを、先に取得した仕様書管理記号の「Ｃ」をキーに、図３８のフラグ入力データテーブルから仕掛り中フラグ有無、完成信頼度、吹出しフラグ状況等を取得し、確認する（ステップＳ２９０５、Ｓ２９０６、Ｓ２９０７）。
【０２９６】
この確認結果によって、作成していた（移行を判定する）仕様書入力テンプレートが属性情報入力条件（ステップＳ２９０４）、仕掛り中フラグ設定条件（ステップＳ２９０５）、完成信頼度入力条件（ステップＳ２９０６）、吹出しフラグ設定条件（ステップＳ２９０７）等の移行判定条件（ステップＳ２９０３）を満足している場合には、次の仕様書入力テンプレートへ移行する旨の通知情報を、図３４の作成情報テーブルから次の作成順序になっている仕様書管理記号の「Ｄ」の作成担当名、内線番号、電子メールアドレス、移行実施のお願い情報を取得し、次の作成者に電子メールで通知するか、または移行ロックメッセージ画面（図１６）のメッセージ欄１６０４等を表示することで行なう（ステップＳ２９０８）。
【０２９７】
この電子メールの通知の具体例としては、ＦＦ欄１２０９の回答待ちの吹出しフラグの表示期間が所定時間以上を経過した場合や質問情報のランクのポイントが所定値以上になった場合に、次の仕様書入力テンプレートへ移行する旨の通知情報を電子メールで次の作成者に送信する。また、通知情報の送信し、所定時間経過後に次の仕様書入力テンプレートへ移行されない場合には、電子メールの送信回数や送信間隔を上げたり、送信先をその作成者の上司、品質管理部門の担当者やシステム管理者に切り替えることで、移行の催促を行なうようにしても良い。
または、作成できなくなる。
【０２９８】
次に、次の仕様書入力テンプレートへの移行を許容する設定として、図３４の作成情報テーブルの該当する仕様書入力テンプレートの「作成順序移行可否」データを「否」から「可」に変更され（ステップＳ２９０９）、移行処理を終了する（ステップＳ２９１１）。
【０２９９】
また、確認結果が移行判定条件（ステップＳ２９０３）を満足していない場合には、次の仕様書入力テンプレートへの移行予定日、若しくは猶予日、若しくは遅延日、若しくは限界日の旨の通知情報を、図４４の作成予定実績テーブルや図４５の製品情報テーブルから取得し、移行ロックメッセージ画面（図１６）のメッセージ欄１６０４等に行ない、移行処理を終了する（ステップＳ２９１１）。この移行ロックメッセージ画面（図１６）の詳細説明については、後述する。
【０３００】
□作業終了
利用者が仕様書入力テンプレート画面１２００（図１２）の作業を終了する場合には（ステップＳ２４１５）、構想設計フェーズ・仕様書入力テンプレート画面１２００（図１２）の閉じるボタン１２０６、または画面上の終了ボタン１２２５を入力部４０２で操作し実施する（ステップＳ２４１８）。
【０３０１】
この際、先の移行処理を実施し（ステップＳ２４１６）、利用者のシステム利用状況やシステム設定情報等のユーザー関連情報を取得し、サーバ３５０の内部記憶装置５０８に記憶させる（ステップＳ２４１７）。記憶されたこのユーザー関連情報は、利用者が再度Ｄ．Ｄ．Ｓ．Ｓを利用する際のサービス情報、またはＤ．Ｄ．Ｓ．Ｓのシステム管理情報として利用される。
【０３０２】
６．データ入力画面
図１３は本実施形態のＤ．Ｄ．Ｓ．Ｓの利用者（設計仕様書の作成権限あり）が仕様書入力テンプレート画面（図１２）にデータを入力するためのデータ入力画面を示す図である。また、図３０は本実施形態のデータ入力画面（図１３）におけるデータ入力、登録の処理の流れを示すフローチャートである。
【０３０３】
図１３において、１３０１は、データ入力の表題である。データ入力の表題１３０１には、作成フェーズ、対象機種名、対象サブシステム名、対象要素名等のデータ入力に関するデータ入力情報が表示される表示フィールドである。
【０３０４】
１３０２は、データを入力する先の仕様書入力テンプレート画面１２００（図１２）において、選択された項目名１２１３の項目Ｎｏ．１２１２が表示される表示フィールドである。
【０３０５】
１３０３は、データを入力する先の仕様書入力テンプレート画面１２００（図１２）において、選択された項目名１２１３が表示される表示フィールドである。この際、標準項目の項目名１２１３に関しては、データ入力画面１３００（図１３）からの変更はできない。但し、追加項目の項目名１２１３に関しては、入力フィールド（ステップＳ３０１１）で表示され、データ入力画面１３００（図１３）からの変更ができる。この時、項目名１３０３の入力フィールドに何らかのデータが登録されている場合には、その情報が表示される。
【０３０６】
１３０４は、データを入力する先の仕様書入力テンプレート画面１２００（図１２）において、選択された項目名１２１３の属性情報が表示される表示フィールドである。ここでの属性情報は、必須入力部（ステップＳ３０１２）である「仕様・機能」１２１４と、その入力フィールドが表示される。
【０３０７】
１３０５は、データを入力する先の仕様書入力テンプレート画面１２００（図１２）において、選択された項目名１２１３の属性情報が表示される表示フィールドである。ここでの属性情報は、入力部（ステップＳ３０１３）である「考え方」、「懸案事項」１２１５と、それらの入力フィールドが表示される。
【０３０８】
１３０６は、データを入力する先の仕様書入力テンプレート画面１２００（図１２）において、選択された項目名１２１３の属性情報が表示される表示フィールドである。ここでの属性情報は、入力部（ステップＳ３０１４）である、担当区分メカ「Ｍ」、プロセス「Ｐ」、実装「ＥＨ」、ソフト「Ｓ」、コンポ「Ｃ」、アクセサリ「Ａｃ」１２１６等と、それらのチェックフィールドが表示される。
【０３０９】
１３０７は、入力データの登録ボタンである。１３０８は、入力データのキャンセルボタンである。１３０９、１３１０は、データ入力画面１３００（図１３）の閉じるボタンである。
【０３１０】
次に、図３０のフローチャートについて説明する。
【０３１１】
Ｄ．Ｄ．Ｓ．Ｓの該当製品における設計仕様書の作成権限を有する利用者は（図７）、情報処理端末３０１に表示された先の仕様書テンプレート画面１２００（図１２）から入力する項目名１２１３に対応するラジオボタン１２０８を選択し（ステップＳ２５０１）、作業名プルダウンメニュー１２０２に「データ入力」の作業項目を選択し（ステップＳ２５０３）、実行ボタン１２０３をマウスクリックして（ステップＳ２５０４）、データ入力画面１３００（図１３）を起動することで（ステップＳ２５０５）、サーバ３５０にアクセスする（ステップＳ３００１）。
【０３１２】
そして、サーバ３５０は、画面生成に必要なユーザー情報（ステップＳ３００２）、フェーズ情報（ステップＳ３００３）、仕様書選択情報（ステップＳ３００４）、利用者選択項目（ステップＳ３００５）、テンプレート情報（ステップＳ３００６）、項目別登録データ（ステップＳ３００７）等の補足情報を内部記憶装置５０８から取得する。次に、その取得情報を画面生成情報として設定する（ステップＳ３００８）。次に、その画面生成情報を、情報処理端末３０１に送信することで、出力部４０３にデータ入力画面１３００（図１３）が表示される（ステップＳ３００９）。
【０３１３】
□データ入力画面からの入力
仕様書入力テンプレート画面１２００（図１２）で選択した項目Ｎｏ．１２１２とデータ入力画面１３００（図１３）に表示された項目Ｎｏ．１３０２等の表題が一致しているかを確認する（ステップＳ３００９）。
【０３１４】
上記の確認結果が正しく、入力作業を続ける場合には、表示されたデータ入力画面１３００（図１３）から適切なデータを入力する。この際、選択した項目が追加項目の場合には（ステップＳ３０１０）、項目名が入力フィールドで表示されるので、適当な項目名を入力する（ステップＳ３０１１）。以下、選択した項目が標準項目でも同じである。
【０３１５】
必須入力部である「仕様・機能」１２１４に、適当な項目名を入力する（ステップＳ３０１２）。次に、入力部である「考え方」、「懸案事項」１２１５に、適当な項目名を入力する（ステップＳ３０１３）。次に、入力部である担当区分メカ「Ｍ」、プロセス「Ｐ」、実装「ＥＨ」、ソフト「Ｓ」、コンポ「Ｃ」、アクセサリ「Ａｃ」１２１６に、データ入力に関連する担当区分をチェックする（ステップＳ３０１４）。
【０３１６】
そして、入力した情報をサーバ３５０に記憶させる場合には、登録ボタン１３０７をクリックする（ステップＳ３０１７）。登録ボタン１３０７をクリックすることで、データ入力画面１３００（図１３）より、入力した情報をサーバ３５０の内部記憶装置５０８に記憶された図３７の属性入力データテーブルの機種名、仕様書管理記号、項目Ｎｏ．、属性名、属性データ等に対応して登録される（ステップＳ３０１８）。更に、対応する入力情報が仕様書テンプレート画面１２００（図１２）に反映されて表示される。
【０３１７】
または、入力した情報をサーバ３５０に記憶させずに、キャンセルする場合には、キャンセルボタン１３０８をクリックする（ステップＳ３０１５）。キャンセルボタン１３０８をクリックすることで、データ入力画面１３００（図１３）に入力した情報を削除する（ステップＳ３０１６）。この際、入力した情報は、サーバ３５０の内部記憶装置５０８に記憶された図３７の属性入力データテーブルと対応する仕様書テンプレート画面１２００（図１２）に反映されない。
【０３１８】
上記の確認結果が正しくないか、入力作業を続けない場合には、表示されたデータ入力画面１３００（図１３）の閉じるボタン１３０９等をクリックし、データ入力作業を終了する（ステップＳ３０１９）。
【０３１９】
□作業終了
利用者がデータ入力画面１３００（図１３）の作業を終了する場合には（ステップＳ３０２１）、データ入力画面１３００（図１３）の閉じるボタン１３０９、または画面上の終了機能１３１０を入力部４０２で操作し実施する（ステップＳ３０１９）。閉じるボタン１３０９、１３１０をクリックすることで、データ入力画面１３００（図１３）が消える。この際、未登録時の入力情報は、サーバ３５０の内部記憶装置５０８に記憶された図３７の属性入力データテーブルと対応する仕様書テンプレート画面１２００（図１２）に反映されない。
【０３２０】
また、利用者のシステム利用状況やシステム設定情報等のユーザー関連情報を取得し、サーバ３５０の内部記憶装置５０８に記憶させる（ステップＳ３０２０）。記憶されたこのユーザー関連情報は、利用者が再度Ｄ．Ｄ．Ｓ．Ｓを利用する際のサービス情報、またはＤ．Ｄ．Ｓ．Ｓのシステム管理情報として利用される。
【０３２１】
７．吹出し入力画面
図１４は本実施形態のＤ．Ｄ．Ｓ．Ｓの利用者が仕様書入力テンプレート（図１２）画面に表示された仕様書情報に対し、質問事項を入力するための吹出し入力画面（質問入力画面）を示す図である。また、図３１は本実施形態の吹出し入力画面（図１４）における吹出し情報の処理の流れを示すフローチャートである。
【０３２２】
図１４において、１４０１は、吹出し入力の表題である。吹出し入力の表題１４０１には、画面名、対象機種名、対象サブシステム名、対象要素名等の吹出し入力に関する吹出し入力情報が表示される表示フィールドである。
【０３２３】
１４０２は、仕様書入力テンプレート画面１２００（図１２）で選択された項目Ｎｏ．１２１２が表示される表示フィールドである。１４０３は、仕様書入力テンプレート画面１２００（図１２）で選択された項目名１２１３が表示される表示フィールドである。
【０３２４】
１４０４は、タイトルを入力する入力フィールドである。１４０５は、質問事項の詳細内容が表示される表示フィールドである。１４０６は、回答者指定のプルダウンメニューである。１４０７は、承認者指定のプルダウンメニューである。１４０８は、機能別分類のプルダウンメニューである。１４０９は、原因別分類のプルダウンメニューである。
【０３２５】
１４１０、１４１１は、登録した質問事項を削除するための削除ボタンである。この削除ボタン１４１０、１４１１の表示は、質問事項の質問者１４１２（記入者）であり、かつ登録した質問事項に対し、回答事項が登録されていない場合に表示される。
【０３２６】
１４１２は、質問事項を入力している質問者の氏名が表示される。１４１３は、重要度のプルダウンメニューである。１４１４は、質問者が質問事項を入力する記入欄である入力フィールドである。
【０３２７】
１４１５は、入力した質問事項の登録ボタンである。登録ボタン１４１５をクリックすることで、入力した吹出し情報（タイトル１４０４、質問者１４１２、質問者記入欄１４１４の情報等）をサーバ３５０の内部記憶装置５０８に記憶させる。また、対応する仕様書入力テンプレート画面１２００（図１２）のＦＦ欄１２０９に吹出しフラグを質問待ち１２２１から回答待ち１２２２に変更して表示する。
【０３２８】
１４１６は、入力した質問事項のキャンセルボタンである。キャンセルボタン１４１６をクリックすることで、入力した吹出し情報（タイトル１４０４、質問者記入欄１４１４の情報等）を初期表示の状態に戻す。
【０３２９】
１４１７、１４１８は、吹出し入力画面１４００（図１４）の閉じるボタンである。閉じるボタン１４１７や１４１８をクリックすることで、吹出し入力画面１４００（図１４）が消える。この際、未登録時の吹出し情報（タイトル１４０４、質問者記入欄１４１４の情報等）は、サーバ３５０の内部記憶装置５０８に記憶されない。
【０３３０】
次に、図３１のフローチャートについて説明する。
【０３３１】
Ｄ．Ｄ．Ｓ．Ｓの該当製品における設計仕様書の吹出し入力権限を有する利用者は（図７）、情報処理端末３０１からいくつかの異なる操作方法から吹出し入力画面１４００（図１４）が表示される。
【０３３２】
※質問待ち・吹出しフラグ１２２１からの吹出し入力画面の表示
例えば、初回目では、表示された先の仕様書入力テンプレート画面１２００（図１２）のＦＦ欄１２０９に表示された質問待ち・吹出しフラグ１２２１をクリックすることで（ステップＳ２８０１）、吹出し入力画面１４００（図１４）を起動させることにより（ステップＳ２８０４）、サーバ３５０にアクセスする（ステップＳ３１０１）。
【０３３３】
※作業名プルダウンメニュー１２０２からの吹出し入力画面の表示
または、初回、及び２回目以降では、表示された先の仕様書テンプレート画面１２００（図１２）から入力する項目名１２１３に対応するラジオボタン１２０８を選択し（ステップＳ２５０１のように）、作業名プルダウンメニュー１２０２に「吹出し入力」の作業項目を選択し（ステップＳ２５０３のように）、実行ボタン１２０３をマウスクリックし（ステップＳ２５０４のように）、吹出し入力画面１４００（図１４）を起動させることにより（ステップＳ２５０５のように）、サーバ３５０にアクセスする（ステップＳ３１０１）。
【０３３４】
そして、サーバ３５０は、画面生成に必要なユーザー情報（ステップＳ３１０２）、フェーズ情報（ステップＳ３１０３）、仕様書選択情報（ステップＳ３１０４）、利用者選択項目（ステップＳ３１０５）、テンプレート情報（ステップＳ３１０６）、項目別登録データ（ステップＳ３１０７）等の補足情報を内部記憶装置５０８から取得する。次に、その取得情報を画面生成情報として設定する（ステップＳ３１０８）。次に、その画面生成情報を情報処理端末３０１に送信することで、出力部４０３に吹出し入力画面１４００（図１４）が表示される（ステップＳ３１０９）。
【０３３５】
□吹出し入力画面からの入力
仕様書入力テンプレートに質問事項を入力する場合、選択したＦＦ欄１２０９の質問待ち・吹出しフラグ１２２１に対応する仕様書入力テンプレートの項目Ｎｏ．１２１２と吹出し入力画面１４００（図１４）に表示された項目Ｎｏ．１４０２等の表題が一致しているかを確認する（ステップＳ３１０９）。また、すでに質問事項が登録されている場合には、質問事項詳細表示エリア１４０５に質問Ｎｏ．別に関連情報等が表示される（ステップＳ３１１０）。
【０３３６】
上記の確認結果が正しく、入力作業を続ける場合には（ステップＳ３１１１）、表示された吹出し入力画面１４００（図１４）から適切なデータを入力する。
【０３３７】
この際、表示された項目Ｎｏ．１４０２、項目名１４０３に対し、質問事項に対するタイトル（タイトル情報）を決め、タイトル欄１４０４に入力する（ステップＳ３１１２）。次に、質問者記入欄１４１４に、その質問事項の詳細内容を入力する（ステップＳ３１１３）。
【０３３８】
更に、回答者を指定したい場合には、回答者指定プルダウンメニュー１４０６から回答者を選択する（ステップＳ３１１３）。
【０３３９】
更に、承認者を指定したい場合には、承認者指定プルダウンメニュー１４０７から承認者を選択する（ステップＳ３１１３）。
【０３４０】
更に、質問事項が画像、強度、性能、ソフト等のどのような機能に分類されるかを指定したい場合には、機能別分類プルダウンメニュー１４０８から該当する機能を選択する（ステップＳ３１１３）。
【０３４１】
更に、質問事項が図面ミス、作業性、加工性、コスト等のどんな懸念があるかを指定したい場合には、原因別分類プルダウンメニュー１４０９から該当する懸念（原因）を選択する（ステップＳ３１１３）。
【０３４２】
更に、質問事項が大、中、小等あるいは５、４、３、２、１等のどれぐらい重要かを指定したい場合には、重要度プルダウンメニュー１４１３から重要度を選択する（ステップＳ３１１３）。
【０３４３】
そして、入力した情報をサーバ３５０に記憶させる場合には、登録ボタン１４１５をクリックする（ステップＳ３１１６）。登録ボタン１４１５をクリックすることで、吹出し入力画面１４００（図１４）より、入力した情報（吹出し入力情報）をサーバ３５０の内部記憶装置５０８に記憶された図３８のフラグ入力データテーブルの機種名、仕様書管理記号、項目Ｎｏ．、吹出しフラグ状況、吹出し実績状況等や、図４６の吹出し情報履歴データテーブルの機種名、仕様書管理記号、項目Ｎｏ．、吹出しＩＤ、記入者、記入日、吹出し内容等に対応して登録される（ステップＳ３１１８）。
【０３４４】
一方、吹出し入力画面（図１４）で、入力した質問事項の情報をサーバー３５０に登録し、入力者以外のユーザーがその質問事項の情報にコメントを登録しない限り、削除が可能になっている。この削除が可能であることを示す削除処理を実行するボタンが吹出し入力画面（図１４）に表示された削除ボタン１４１０、１４１１である。
【０３４５】
以上の削除処理の判断処理を行ない（ステップＳ３１１９）、削除が指示されると、吹出し入力データをサーバ３５０から削除する（ステップＳ３１２０）。その後、ステップＳ３１１０に戻り、吹出し入力画面（図１４）が再表示される。
【０３４６】
更に、対応する仕様書テンプレート画面（図１２）のＦＦ欄１２０９の質問待ち・吹出しフラグ１２２１が回答待ち・吹出しフラグ１２２２に変化する（ステップＳ２８０６）。更に、この表示された回答待ち・吹出しフラグ１２２２上にマウスのカーソルを近づけと、吹出しフラグの登録状況を表示する。例えば、回答待ちが１件、確認待ちが０件、質問確認済みが０件の場合には、「回：１　確：０　済：０」の表示が現れる。
【０３４７】
一方、入力した情報をサーバ３５０に記憶させずに、キャンセルする場合には、キャンセルボタン１４１６をクリックする（ステップＳ３１１４）。キャンセルボタン１４１６をクリックすることで、吹出し入力画面１４００（図１４）に入力したタイトル１４０４、質問者記入欄１４１４の情報を削除する（ステップＳ３１１５）。
【０３４８】
更に、回答者指定プルダウンメニュー１４０６、承認者指定プルダウンメニュー１４０７、機能別分類プルダウンメニュー１４０８、原因別分類プルダウンメニュー１４０９、重要度プルダウンメニュー１４１３を初期状態に戻す。この際、入力した情報は、サーバ３５０の内部記憶装置５０８に記憶された図３８のフラグ入力データテーブルと図４６の吹出し情報履歴データテーブル、更に対応する仕様書テンプレート画面１２００（図１２）に反映されない。
【０３４９】
また、他にも質問事項がある場合には、新たにタイトルを入力し（ステップＳ３１２１）、先と同様に繰り返し質問事項を登録する。
【０３５０】
上記の確認結果が正しくないか、入力作業を続けない場合には（ステップＳ３１１１）、表示された吹出し入力画面１４００（図１４）の閉じるボタン１４１７等をクリックし、質問事項の入力作業を終了する（ステップＳ３１２２）。
【０３５１】
□作業終了
利用者が吹出し入力画面１４００（図１４）の作業を終了する場合には（ステップＳ３１２４）、吹出し入力画面１４００（図１４）の閉じるボタン１４１７、または閉じるボタン１４１８を入力部４０２で操作し実施する（ステップＳ３１２２）。閉じるボタン１４１７や１４１８をクリックすることで、吹出し入力画面１４００（図１４）が消える。この際、未登録時の入力情報は、サーバ３５０の内部記憶装置５０８に記憶された図３８のフラグ入力データテーブルと図４６の吹出し情報履歴データテーブルと対応する仕様書テンプレート画面１２００（図１２）に反映されない。
【０３５２】
また、利用者のシステム利用状況やシステム設定情報等のユーザー関連情報を取得し、サーバ３５０の内部記憶装置５０８に記憶させる（ステップＳ３１２３）。記憶されたこのユーザー関連情報は、利用者が再度Ｄ．Ｄ．Ｓ．Ｓを利用する際のサービス情報、またはＤ．Ｄ．Ｓ．Ｓのシステム管理情報として利用される。
【０３５３】
８．吹出し表示画面
図１５は本実施形態のＤ．Ｄ．Ｓ．Ｓの利用者が仕様書入力テンプレート画面（図１２）に表示された仕様書情報の質問事項に対する回答事項、または回答事項に対する承認事項を入力するための吹出し表示画面を示す図である。また、図３２は本実施形態の吹出し表示画面（図１５）における吹出し情報の処理の流れを示すフローチャートである。
【０３５４】
図１５において、１５０１は、吹出し表示の表題である。吹出し表示の表題１５０１には、画面名、対象機種名、対象サブシステム名、対象要素名等の吹出し表示に関する吹出し表示情報が表示される。１５０２は、仕様書入力テンプレート画面１２００（図１２）で選択された項目Ｎｏ．１２１２が表示される表示フィールドである。
【０３５５】
１５０３は、仕様書入力テンプレート画面１２００（図１２）で選択された項目名１２１３が表示される表示フィールドである。１５０４は、吹出し入力画面１４００（図１４）において、登録された項目Ｎｏ．１２１２ごとの質問事項のタイトルが表示されるプルダウンメニューである。
【０３５６】
１５０５は、吹出し表示画面１５００（図１５）のタイトルプルダウンメニュー１５０４において、選択された質問事項のタイトルごとの吹出しフラグ状況が表示される表示フィールドである。
【０３５７】
１５０６は、吹出し表示画面１５００（図１５）のタイトルプルダウンメニュー１５０４において、選択された質問事項のタイトルに関する質問事項の詳細内容が表示される表示フィールドである。この表示フィールと１５０６には、１件の質問Ｎｏ．、質問者、登録日時、質問内容、承認ボタン１５０８等が表示される。
【０３５８】
１５０７は、吹出し表示画面１５００（図１５）のタイトルプルダウンメニュー１５０４において、選択された質問事項のタイトルに関する回答事項の詳細内容が表示される表示フィールドである。この表示フィールド１５０７では、回答事項が１件も入力されていない場合には、「この質問の回答は、まだありません。」が表示される。一方、回答事項が入力された場合には、回答Ｎｏ．、回答者、登録日時、回答内容、削除ボタン１５０９等が表示される。回答事項の表示は、１つの質問事項（質問Ｎｏ．）１５０６に対し、複数の回答事項（回答Ｎｏ．）が表示される。
【０３５９】
１５０８は、回答事項に対する承認ボタンである。この承認ボタン１５０８は、選択された質問情報（タイトル１５０４）の質問者に対し、回答事項が登録された時に表示され、この承認ボタン１５０８をクリックすることで、承認事項情報をサーバ３５０の内部記憶装置５０８に記憶させる。これによって、該当する質問Ｎｏ．の質問事項が承認まで終了したことを示し、該当する質問Ｎｏ．の質問事項に対する回答事項の入力ができなくなる。
【０３６０】
更に、承認ボタン１５０８がクリックされることで、承認ボタン１５０８が「承認済み」のテキスト表示に変更して表示する。更に、対応する仕様書入力テンプレート画面１２００（図１２）のＦＦ欄１２０９の吹出しフラグを確認待ち１２２３から承認済み１２２４に変更して表示する。
【０３６１】
１５０９は、登録した回答事項を削除するための削除ボタンである。この削除ボタン１５０９の表示は、回答事項の回答者１５１０（記入者）であり、かつ登録した回答事項に対し、次の回答事項が登録されていない場合に表示される。この削除ボタン１５０９をクリックすることで、登録された回答事項を先の条件を満たせば削除することができる。
【０３６２】
更に、削除した場合には、登録された回答事項の情報をサーバ３５０の内部記憶装置５０８の記憶から削除する。更に、削除することによって、他に回答事項の情報がサーバ３５０の内部記憶装置５０８の記憶されていなければ、対応する仕様書入力テンプレート画面１２００（図１２）のＦＦ欄１２０９の吹出しフラグを確認待ち１２２３から回答待ち１２２２に変更して表示する。
【０３６３】
１５１０は、回答事項を入力している回答者の氏名が表示される表示フィールドである。１５１１は、回答者が回答事項を入力する記入欄である入力フィールドである。
【０３６４】
１５１２は、入力した回答事項の登録ボタンである。登録ボタン１５１２をクリックすることで、入力した吹出し情報（回答者１５１０、回答者記入欄１５１１の情報等）をサーバ３５０の内部記憶装置５０８に記憶させる。また、対応する仕様書入力テンプレート画面１２００（図１２）のＦＦ欄１２０９の吹出しフラグが回答待ち１２２２から確認待ち１２２３に変更されて表示される。
【０３６５】
１５１３は、入力した回答事項のキャンセルボタンである。キャンセルボタン１５１３をクリックすることで、入力した吹出し情報（タイトル１５０４、回答者記入欄１５１１の情報等）を初期表示の状態に戻す。
【０３６６】
１５１４、１５１５は、吹出し表示画面１５００（図１５）の閉じるボタンである。閉じるボタン１５１４や１５１５をクリックすることで、吹出し表示画面１５００（図１５）が消える。この際、未登録時の吹出し情報（タイトル１５０４、回答者記入欄１５１１の情報等）は、サーバ３５０の内部記憶装置５０８に記憶されない。
【０３６７】
次に、図３２のフローチャートについて説明する。
【０３６８】
Ｄ．Ｄ．Ｓ．Ｓの該当製品における設計仕様書の吹出し入力権限を有する利用者は（図７）、情報処理端末３０１からいくつかの異なる吹出しフラグから吹出し表示画面（図１５）が表示される。
【０３６９】
※回答待ち・吹出しフラグ１２２２からの吹出し表示画面の表示
例えば、回答事項を入力する場合には、表示された先の仕様書入力テンプレート画面１２００（図１２）のＦＦ欄１２０９に表示された回答待ち・吹出しフラグ１２２２をクリックすることで（ステップＳ２８０７）、吹出し表示画面１５００（図１５）を起動させることにより（ステップＳ２８０８）、サーバ３５０にアクセスする（ステップＳ３２０１）。
【０３７０】
※確認待ち・吹出しフラグ１２２３からの吹出し表示画面の表示
または、承認事項を入力する場合には、表示された先の仕様書入力テンプレート画面１２００（図１２）のＦＦ欄１２０９に表示された確認待ち・吹出しフラグ１２２３（または回答待ち・吹出しフラグ１２２２）をクリックすることで（ステップＳ２８１３）、吹出し表示画面１５００（図１５）を起動させることにより（ステップＳ２８１４）、サーバ３５０にアクセスする（ステップＳ３２０１）。
【０３７１】
※承認済み・吹出しフラグ１２２４からの吹出し表示画面の表示
または、承認済みの吹出し情報を確認する場合には、表示された先の仕様書入力テンプレート画面１２００（図１２）のＦＦ欄１２０９に表示された承認済み・吹出しフラグ１２２４（または確認待ち・吹出しフラグ１２２３、回答待ち・吹出しフラグ１２２２）をクリックすることで（ステップＳ２８１３）、吹出し表示画面１５００（図１５）を起動させることにより（ステップＳ２８１７）、サーバ３５０にアクセスする（ステップＳ３２０１）。
【０３７２】
そして、サーバ３５０は、画面生成に必要なユーザー情報（ステップＳ３２０２）、フェーズ情報（ステップＳ３２０３）、仕様書選択情報（ステップＳ３２０４）、利用者選択項目（ステップＳ３２０５）、テンプレート情報（ステップＳ３２０６）、項目別登録データ（ステップＳ３２０７）等の補足情報を内部記憶装置５０８から取得する。次に、その取得情報を画面生成情報として設定する（ステップＳ３２０８）。次に、その画面生成情報を情報処理端末３０１に送信することで、出力部４０３に吹出し表示画面１５００（図１５）が表示される（ステップＳ３２０９）。
【０３７３】
□吹出し表示画面からの入力
※回答事項の入力
仕様書入力テンプレートに回答事項を入力する場合、選択したＦＦ欄１２０９の質問待ち・吹出しフラグ１２２２に対応する仕様書入力テンプレートの項目Ｎｏ．１２１２と吹出し表示画面１５００（図１５）に表示された項目Ｎｏ．１５０２等の表題が一致しているかを確認する（ステップＳ３２０９、ステップＳ２８０８）。
【０３７４】
上記の確認結果が正しく、入力作業を続ける場合には、表示された吹出し表示画面１５００（図１５）から適切なデータを入力する。
【０３７５】
この際、表示された項目Ｎｏ．１５０２、項目名１５０３に対し、回答事項を入力する質問事項のタイトルをタイトルプルダウンメニュー１５０４（タイトルの語尾に、現状の吹出し状況が表示されている）から選択する（ステップＳ３２１０）。
【０３７６】
これにより、質問事項表示欄１５０６にその質問事項の詳細内容が表示され、回答事項表示欄１５０７にその回答事項の詳細内容が表示され、更に、その質問事項の吹出し状況フラグ１５０５が表示される。更に、その質問事項の吹出し状況フラグ１５０５が確認待ち・吹出しフラグ１２２３であるならば、承認ボタン１５０８が表示される。更に、回答事項表示欄１５０７に表示された回答事項の詳細内容が削除可能であるならば、削除ボタン１５０９が表示される（ステップＳ３２１１）。
【０３７７】
更に、回答者１５１０は、質問事項表示欄１５０６と回答事項表示欄１５０７に表示された情報を参照し、適宜、必要な回答事項情報の追加を回答者記入欄１５１１に入力する（ステップＳ３２１２、ステップＳ３２１３）。
【０３７８】
そして、入力した情報をサーバ３５０に記憶させる場合には、登録ボタン１５１２をクリックする（ステップＳ３２１６）。登録ボタン１５１２をクリックすることで、吹出し表示画面１５００（図１５）より、入力した情報（吹出し表示情報）をサーバ３５０の内部記憶装置５０８に記憶された図３８のフラグ入力データテーブルの機種名、仕様書管理記号、項目Ｎｏ．、吹出しフラグ状況、吹出し実績状況等や、図４６の吹出し情報履歴データテーブルの機種名、仕様書管理記号、項目Ｎｏ．、吹出しＩＤ、記入者、記入日、吹出し内容等に対応して登録される（ステップＳ３２１８）。更に、これらの情報が回答事項表示欄１５０７に追加表示される。
【０３７９】
一方、吹出し表示画面（図１５）で、入力した回答事項の情報をサーバー３５０に登録し、入力者以外のユーザーがその回答事項の情報にコメントを登録しない限り、削除が可能になっている。この削除が可能であることを示す削除処理を実行するボタンが吹出し表示画面（図１５）に表示された削除ボタン１５０９である。
【０３８０】
以上の削除処理の判断処理を行ない（ステップＳ３２１９）、削除が指示されると、吹出し入力データをサーバ３５０から削除する（ステップＳ３２２０）。その後、ステップＳ３２１１に戻り、吹出し入力画面（図１４）が再表示される。
【０３８１】
更に、対応する仕様書テンプレート画面１２００（図１２）のＦＦ欄１２０９の吹出しフラグが回答待ち１２２２の場合には、確認待ち・吹出しフラグ１２２３に変化する（ステップＳ２８１２）。更に、この表示された確認待ち・吹出しフラグ１２２３上にマウスのカーソルを近づけると、吹出しフラグの登録状況を表示する。例えば、回答待ちが０件、確認待ちが１件、質問確認済みが０件の場合には、「回：０　確：１　済：０」の表示が現れる。
【０３８２】
一方、入力した情報をサーバ３５０に記憶させずに、キャンセルする場合には、キャンセルボタン１５１３をクリックする（ステップＳ３２１４）。次に、キャンセルボタン１５１３をクリックすることで、吹出し表示画面１５００（図１５）に入力した回答者記入欄１５１１の情報を削除する（ステップＳ３２１５）。
【０３８３】
この際、入力した情報は、サーバ３５０の内部記憶装置５０８に記憶された図３８のフラグ入力データテーブルと図４６の吹出し情報履歴データテーブル、更に対応する仕様書テンプレート画面１２００（図１２）に反映されない。
【０３８４】
更に、他にも回答事項がある場合には（ステップＳ３２２１）、先と同様に繰り返し回答事項を登録する。
【０３８５】
上記の確認結果が正しくないか、入力作業を続けない場合には（ステップＳ３２１２）、表示された吹出し表示画面１５００（図１５）の閉じるボタン１５１４等をクリックし、回答事項の入力作業を終了する（ステップＳ３２２２）。
【０３８６】
また、この回答事項の入力作業は、吹出し入力画面（図１４）の回答者指定プルダウンメニュー１４０６において、回答者を指定し（ステップＳ２８１０）、その回答者からの入力作業の場合には（ステップＳ２８１１）、次の承認事項の入力作業が省略され、承認事項の入力作業を実行した場合と同じような状況になる（ステップＳ２８１６）。
【０３８７】
※承認事項の入力
仕様書入力テンプレートに承認事項を入力する場合、選択したＦＦ欄１２０９の確認待ち・吹出しフラグ１２２３（または回答待ち・吹出しフラグ１２２２）に対応する仕様書入力テンプレートの項目Ｎｏ．１２１２と吹出し表示画面１５００（図１５）に表示された項目Ｎｏ．１５０２等の表題が一致しているかを確認する（ステップＳ３２０９、ステップＳ２８１４）。
【０３８８】
上記の確認結果が正しく、承認作業を続ける場合には、表示された吹出し表示画面１５００（図１５）から適切なデータを入力する。
【０３８９】
この際、表示された項目Ｎｏ．１５０２、項目名１５０３に対し、回答事項を承認する質問事項のタイトルをタイトルプルダウンメニュー１５０４（タイトルの語尾に、現状の吹出し状況が表示されている）から選択する（ステップＳ３２１０）。
【０３９０】
これにより、質問事項表示欄１５０６にその質問事項の詳細内容が表示され、回答事項表示欄１５０７にその回答事項の詳細内容が表示され、更に、その質問事項の吹出し状況フラグ１５０５が表示される。更に、その質問事項の吹出し状況フラグ１５０５が確認待ち・吹出しフラグ１２２３であるならば、承認ボタン１５０８が表示される。上記の回答事項の入力作業と同様の操作である。
【０３９１】
このときに、回答事項表示欄１５０７に表示された回答事項の詳細内容を確認し、承認作業を進めてよければ、承認ボタン１５０８をクリックする（ステップＳ２８１５）。承認ボタン１５０８をクリックすることで、吹出し表示画面１５００（図１５）より、承認した情報（吹出し表示情報）をサーバ３５０の内部記憶装置５０８に記憶された図３８のフラグ入力データテーブルの機種名、仕様書管理記号、項目Ｎｏ．、吹出しフラグ状況、吹出し実績状況等や、図４６の吹出し情報履歴データテーブルの機種名、仕様書管理記号、項目Ｎｏ．、吹出しＩＤ、記入者、記入日、吹出し内容等に対応して登録される（ステップＳ３２１８）。
【０３９２】
更に、該当する質問事項のタイトルに対して、承認ボタン１５０８が「承認済み」のテキストに変化し、表示される。また、吹出しフラグ状況１５０５が確認待ち１２２３から承認済み１２２４に変化する（ステップＳ２８１６）。更に、該当する質問事項のタイトルに対して、登録ボタン１５１２をクリックしても、回答事項を登録できない非稼動状態で表示される。更に、該当する質問事項のタイトルに対して、表示されている回答事項の削除ボタン１５０９が削除される（表示されなくなる）。
【０３９３】
更に、該当する項目Ｎｏ．１２１２のすべての質問事項が承認済みの場合には、対応する仕様書テンプレート画面１２００（図１２）のＦＦ欄１２０９の吹出しフラグが確認待ち１２２３から承認済み１２２４に変化する（ステップＳ２８１６）。更に、この表示された承認済み・吹出しフラグ１２２４上にマウスのカーソルを近づけると、吹出しフラグの登録状況を表示する。例えば、回答待ちが０件、確認待ちが０件、質問確認済みが１件の場合には、「回：０　確：０　済：１」の表示が現れる。
【０３９４】
また、この承認事項の入力作業は、吹出し入力画面１４００（図１４）の承認者指定プルダウンメニュー１４０７において、承認者を指定すれば（ステップＳ３１１３）、その質問事項の承認作業を質問者がせず、指定した承認者が実行することができる。
【０３９５】
※承認済みの吹出し情報表示
仕様書入力テンプレートから承認済みの吹出し情報をからする場合、選択したＦＦ欄１２０９の承認済み・吹出しフラグ１２２４（または確認待ち・吹出しフラグ１２２３、回答待ち・吹出しフラグ１２２２）に対応する仕様書入力テンプレートの項目Ｎｏ．１２１２と吹出し表示画面１５００（図１５）に表示された項目Ｎｏ．１５０２等の表題が一致しているかを確認する（ステップＳ３２０９、ステップＳ２８１７）。
【０３９６】
上記の確認結果が正しく、確認作業を続ける場合には、表示された吹出し表示画面１５００（図１５）から適切なデータを選択する。
【０３９７】
この際、表示された項目Ｎｏ．１５０２、項目名１５０３に対し、吹出し情報を確認する質問事項のタイトルをタイトルプルダウンメニュー１５０４（タイトルの語尾に、現状の吹出し状況が表示されている）から選択する（ステップＳ３２１０）。
【０３９８】
これにより、質問事項表示欄１５０６にその質問事項の詳細内容が表示され、回答事項表示欄１５０７にその回答事項の詳細内容が表示され、更に、その質問事項の吹出し状況フラグ１５０５が承認済み１２２４で表示され、更に、登録ボタン１５１２が非稼動状態で表示される。
【０３９９】
□作業終了
利用者が吹出し表示画面１５００（図１５）の作業を終了する場合には（ステップＳ３２２４）、吹出し表示画面１５００（図１５）の閉じるボタン１５１４、または閉じるボタン１５１５を入力部４０２で操作し実施する（ステップＳ３２２２）。閉じるボタン１５１４や１５１５をクリックすることで、吹出し表示画面１５００（図１５）が消える。
【０４００】
この際、未登録時の入力情報は、サーバ３５０の内部記憶装置５０８に記憶された図３８のフラグ入力データテーブルと図４６の吹出し情報履歴データテーブルと対応する仕様書テンプレート画面１２００（図１２）に反映されない。
【０４０１】
また、利用者のシステム利用状況やシステム設定情報等のユーザー関連情報を取得し、サーバ３５０の内部記憶装置５０８に記憶させる（ステップＳ３２２３）。記憶されたこのユーザー関連情報は、利用者が再度Ｄ．Ｄ．Ｓ．Ｓを利用する際のサービス情報、またはＤ．Ｄ．Ｓ．Ｓのシステム管理情報として利用される。
【０４０２】
９．移行ロックメッセージ画面
図１６は本実施形態のＤ．Ｄ．Ｓ．Ｓを利用する方にシステムのメニュー情報及び作成する仕様書の移行を制限する移行ロックメッセージ画面を示す図である。また、図３３は本実施形態の移行ロックメッセージ画面（図１６）における操作の処理の流れを示すフローチャートである。また、図２９は本実施形態の移行処理の流れを示しフローチャートであり、移行ロックメッセージ画面（図１６）に含めることも可能であるが、本実施形態では、仕様書入力テンプレート画面（図１２）に含める形で説明している。
【０４０３】
図１６において、１６０１は、メニュー画面１０００（図１０）の仕様書作成メニュー１００１と同様に機能する仕様書作成メニューである。
【０４０４】
１６０２は、メニュー画面１０００（図１０）の仕様書作成支援メニュー１００２と同様に機能する仕様書作成支援メニューである。
【０４０５】
１６０３は、メニュー画面１０００（図１０）のマスターメンテメニュー１００３と同様に機能するマスターメンテメニューである。
【０４０６】
１６０４は、メッセージフィールドである。このメッセージフィールド１６０４には、仕様書作成移行の制限状況や、その注意事項や、移行ロックメッセージ画面１６００（図１６）での操作方法等が表示される。
【０４０７】
１６０５は、移行ロックになった仕様書作成フェーズ（例えば、構想設計）における入力項目の未記入者への電子メール通知画面（未記入者をリスト表示）のリンクが表示される。
【０４０８】
１６０６は、システム管理者への電子メール通知画面のリンクが表示される。１６０７は、移行ロックになった仕様書作成フェーズ（例えば、構想設計）の次の仕様書作成フェーズ（例えば、詳細設計）の項目情報を表示する画面のリンクが表示される。
【０４０９】
１６０８は、メニュー画面１０００（図１０）に戻るための戻るボタンである。戻るボタン１６０８をクリックすることで、移行ロックメッセージ画面１６００（図１６）は消える。
【０４１０】
１６０９は、Ｄ．Ｄ．Ｓ．Ｓを終了するための終了ボタンである。終了ボタン１６０９をクリックすることで、移行ロックメッセージ画面１６００（図１６）は消える。
【０４１１】
次に、図３３のフローチャートについて説明する。
【０４１２】
Ｄ．Ｄ．Ｓ．Ｓの利用者は、情報処理端末３０１からサーバ３５０にアクセスする（ステップＳ３３０１）。そして、サーバ３５０は、画面生成に必要なユーザー情報（ステップＳ３３０２）、フェーズ情報（ステップＳ３３０３）、機種情報（ステップＳ３３０４）、サブシステム情報（ステップＳ３３０５）、要素情報（ステップＳ３３０６）等の補足情報を内部記憶装置５０８から取得する。次に、その取得情報を画面生成情報として設定する（ステップＳ３３０８）。次に、その画面生成情報を情報処理端末３０１に送信することで、出力部４０３に移行ロックメッセージ画面（詳細設計フェーズ）１６００（図１６）が表示される（ステップＳ３３０９）。但し、この処理は、ログイン画面８００（図８）において、ログインする利用者が正しく認証されている場合に限る。
【０４１３】
尚、他の仕様書作成フェーズにおける移行ロックメッセージ画面１６００（図１６）の詳細説明は、基本的に同様のため省略する。
【０４１４】
□移行ロックメッセージの表示
移行ロックメッセージ画面１６００（図１６）のメッセージ欄１６０４における仕様書作成移行の制限状況や、その注意事項は、メニュー画面１０００（図１０）の仕様書作成１００１の選択情報を基に、サーバ３５０の内部記憶装置５０８に記憶されているフェーズ情報（ステップＳ３３０３）等から取得する。
【０４１５】
□入力項目の未記入者への電子メール通知画面の表示
移行ロックメッセージ画面１６００（図１６）に表示された入力項目の未記入者への電子メール通知画面のリンク１６０５をクリックし（ステップＳ３３１０）、メール通知画面を起動させる（ステップＳ３３１１）。この際、該当する入力項目の未記入者リスト情報が表示される。この中から、メール通知を出す未記入者を選択し、メール通知ボタンをクリックする。
【０４１６】
□システム管理者への電子メール通知画面の表示
移行ロックメッセージ画面１６００（図１６）に表示されたシステム管理者への電子メール通知画面のリンク１６０６をクリックし（ステップＳ３３１２）、メール通知画面を起動させる（ステップＳ３３１３）。この際、該当するシステム管理者リスト情報が表示される。この中から、メール通知を出すシステム管理者を選択し、メール通知ボタンをクリックする。
【０４１７】
□次フェーズの仕様書項目情報の表示
移行ロックメッセージ画面１６００（図１６）に表示された次フェーズの仕様書項目情報のリンク１６０７をクリックし（ステップＳ３３１４）、仕様書入力テンプレート画面１２００（図１２）を起動させる（ステップＳ３３１５）。この際、仕様書入力テンプレート画面１２００（図１２）の作業名プルダウンメニュー１２２２を表示せず、仕様書入力テンプレート情報の参照のみを可能にする。または、入力部情報（１２１４、１２１５、１２１６）を反映せず、仕様書入力テンプレートの項目情報のみを可能にする。
【０４１８】
□メニュー画面に戻る／画面終了
また、移行ロックメッセージ画面１６００（図１６）の戻るボタン１６０８を入力部４０２から操作することで（ステップＳ３３１４）、出力部４０３にメニュー画面１０００（図１０）を表示する起動作業を実施する（ステップＳ３３１６、ステップＳ１９０１）。
【０４１９】
この際、利用者のシステム利用状況やシステム設定情報等のユーザー関連情報を取得し、サーバ３５０の内部記憶装置５０８に記憶させる（ステップＳ３３１８）。記憶されたこのユーザー関連情報は、利用者が再度Ｄ．Ｄ．Ｓ．Ｓを利用する際のサービス情報、またはＤ．Ｄ．Ｓ．Ｓのシステム管理情報として利用される。
【０４２０】
□システム終了
利用者がＤ．Ｄ．Ｓ．Ｓを終了する場合には（ステップＳ３３１９）、移行六グメッセージ画面１６００（図１６）上の終了ボタン１６０９を入力部４０２で操作し実施する（ステップＳ３３１７）。
【０４２１】
この際、利用者のシステム利用状況やシステム設定情報等のユーザー関連情報を取得し、サーバ３５０の内部記憶装置５０８に記憶させる（ステップＳ３３１８）。記憶されたこのユーザー関連情報は、利用者が再度Ｄ．Ｄ．Ｓ．Ｓを利用する際のサービス情報、またはＤ．Ｄ．Ｓ．Ｓのシステム管理情報として利用される。
【０４２２】
※以下、設計仕様書作成における縛り機能
設計仕様書を作成する際、作成者による完成品質のバラツキ防止、完成品質の向上、作成期間の短縮のための規制を設ける縛りがある。
【０４２３】
こうした縛りには、第一に、予め決められた仕様書入力テンプレートに必要事項を記述すること、第二に、仕様書入力テンプレート作成フェーズの作成順序が予め決められていること、第三に、仕様書入力テンプレート自身の記述順序が予め決められていること、第四に、仕様書入力テンプレートの記述に対し、確認すべきドキュメント類、または確認する内容が予め決められていること、第五に、作成した仕様書入力テンプレートの完成品質がある基準値に至らないまでは、その閲覧、印刷を実行することができない等がある。
【０４２４】
第二の設計仕様書作成フェーズにおける作成順序の縛りについて
設計仕様書作成フェーズにおける作成順序の縛りとは、設計仕様書の構成（図６）にあるように、各作成フェーズが分類され、予め決められた作成順序に従って、作成しなければならない縛りがある。
【０４２５】
この設計仕様書の各フェーズの作成順序及び縛りは、予めサーバ３５０の内部記憶装置５０８に記憶されている図３４の作成情報テーブルの作成順序等や、図３９の移行判定テーブルの移行判定基準等に記載されている。
【０４２６】
例えば、この作成順序の記憶には、マスターメンテ権限のある利用者が情報処理端末３０１からサーバ３５０にアクセスし、マスターメンテ画面を使用して記憶させる。
【０４２７】
例えば、図３４の作成情報テーブルの作成順序の記憶には、ある機種別サブシステム別において、第一番目は、仕様書管理記号が「Ａ」で、仕様書入力テンプレート名が「基本仕様」という仕様書を作成するが、移行判定基準「４」の条件を満足しなければ、第二番目の仕様書作成に移行することができないことを示している。
【０４２８】
更に、第二番目は、仕様書管理記号が「Ｂ」で、仕様書入力テンプレート名が「設計条件」という仕様書を作成するが、移行判定基準「３」の条件を満足しなければ、第三番目の仕様書作成に移行することができないことを示している。
【０４２９】
更に、第三番目は、仕様書管理記号が「Ｃ」で、仕様書入力テンプレート名が「構想設計」という仕様書を作成するが、移行判定基準「３」の条件を満足しなければ、第四番目の仕様書作成に移行することができないことを示している。
【０４３０】
更に、第四番目は、仕様書管理記号が「Ｄ」で、仕様書入力テンプレート名が「詳細設計」という仕様書を作成するが、移行判定基準「２」の条件を満足しなければ、次の仕様書作成に移行（または、仕様書作成を終了）することができないことを示している。
【０４３１】
また、各仕様書の移行判定基準の条件は、作成情報テーブル（図３４）の各仕様書に対応した移行判定基準である「３」等をキーにし、図３９の移行判定テーブルの移行判定基準と同じデータである「３」から取得する。移行判定テーブル（図３９）における移行判定基準「３」の条件は、属性情報入力条件が「項目の重み指定有りの全ての属性が入力済み」で、仕掛り中フラグ設定条件が「未入力の項目にフラグあり」で、完成信頼度入力条件が「全体での完成信頼度が９０％以上」で、吹出しフラグ設定条件が「質問待ち、または重要度「大」の質問のみ確認待ち」であることとなっている。
【０４３２】
第三の仕様書入力テンプレートにおける作成順序の縛りについて
仕様書入力テンプレートにおける作成順序の縛りとは、各作成フェーズの仕様書入力テンプレート画面１２００（図１２）を構成する予め決められた作成順序に相当する項目Ｎｏ．１２１２が割り付けられた標準項目の項目名１２１３に対する、予め決められた入力すべき属性項目である仕様書・機能１２１４、考え方、懸案事項１２１５等の作成順序に従って、作成しなければならない縛りがある。
【０４３３】
この仕様書入力テンプレートを構成する行（項目と属性）の作成順序、及び縛りは、予めサーバ３５０の内部記憶装置５０８に記憶されている図３６の項目情報マスターテーブルの項目名、表示順序、項目区分、項目重み指定有無等や、図３５の属性情報マスターテーブルの属性名、表示位置、必須入力指定有無等に記載されている。
【０４３４】
例えば、この作成順序の記憶には、マスターメンテ権限のある利用者が情報処理端末３０１からサーバ３５０にアクセスし、マスターメンテ画面を使用して記憶させる。
【０４３５】
例えば、図３６の項目情報マスターテーブルの作成順序の記憶には、ある機種別サブシステム別における仕様書入力テンプレートが「構想設計」において、第一番目は、仕様書管理記号が「Ｃ」で、項目Ｎｏ．が「Ｃ０００１」である項目名が「ＡＢＣ方式」の属性情報を入力し作成することを示している。
【０４３６】
更に、第二番目は、仕様書管理記号が「Ｃ」で、項目Ｎｏ．が「Ｃ０００２」である項目名が「枠体構造」の属性情報を入力し作成することを示している。
【０４３７】
更に、第三番目は、仕様書管理記号が「Ｃ」で、項目Ｎｏ．が「Ｃ０００３」である項目名が「ベース機種・差異１」の属性情報を入力し作成することを示している。
【０４３８】
以下、同様にして、第四番目、第五番目及び第六番目はそれぞれ仕様書管理記号が「Ｃ」で、項目Ｎｏ．が「Ｃ０００４」、「Ｃ０００５」及び「Ｃ０００６」である項目名が「ベース機種・差異２」、「ベース機種・差異３」及び「Ａローラの種類」の属性情報を入力し作成することを示している。
【０４３９】
更に、第七番目は、仕様書管理記号が「Ｃ」で、項目Ｎｏ．が「Ｃ００１１」である項目名が「Ｂローラの種類」の属性情報を入力し作成することを示している。
【０４４０】
更に、第八番目は、仕様書管理記号が「Ｃ」で、項目Ｎｏ．が「Ｃ００１２」である項目名が「基板配置」の属性情報を入力し作成することを示している。
【０４４１】
更に、第九番目は、仕様書管理記号が「Ｃ」で、項目Ｎｏ．が「Ｃ０００７」である項目名が「昇温」の属性情報を入力し作成することを示している。
【０４４２】
また、入力する属性情報の縛りは、属性情報マスターテーブル（図３５）の必須入力指定有無が「あり」の属性名で判断できる。ここでは、属性名「仕様書・機能」がその対象であり、表示位置は、仕様書入力テンプレート画面（図１２）の項目名１２１３の右隣１番目となる。
【０４４３】
※仕掛り中フラグ（ＳＦ）の詳細説明
□設計段階
設計仕様書を作成する者は、設計者である。その設計者は、複数の製品開発（製品機能の確立）が主な業務であり、製品開発中のトラブル対応を優先する。
【０４４４】
そのため、まとまった時間を設計仕様書の作成に割り当てることが難しい。また、設計仕様書を作成する際の縛りは、設計者の負荷となることが多い。
【０４４５】
□順をおって（縛りを付けて）設計していくことの問題点
設計仕様書、テンプレートを作成する際、作成に必要な情報が作成者の必要な時期に、必要な情報が必ず収集できるものとは限らない。
【０４４６】
必要なデータの収集が遅れることで、前工程の作成フェーズが遅延した場合に、その遅延の影響を順次、後工程の作成フェーズが受け継いでしまう。必要なデータを早めに収集できても、前工程が完成していなければ、後工程の作成フェーズを進めることができないと、自工程の作成フェーズが遅延してしまう。
【０４４７】
作成順序や記述内容の規制は、作成するドキュメントの完成品質に効果を上げ易いが、ドキュメントの作成期間の短縮に効果を上げることが難しい。
【０４４８】
□仕掛り中フラグの必要性
作成フェーズにおける仕様書入力テンプレートのデータ未入力の項目（遅延項目）に、作成者が必要な仕掛り中フラグを立てる。仕掛り中フラグが立つことによって、その遅延項目にデータが入力されていることとして本システムが判断する。
【０４４９】
このことによって、予め決められた作成フェーズの作成順序があるが、遅延している作成フェーズを飛ばし、作成を進めることが可能な次フェーズの仕様書の作成を開始できるようにする。
【０４５０】
これにより、全体での作成期間の遅延防止と作成期間の短縮効果を反映できるようにすることができる。
【０４５１】
また、作成する仕様書入力テンプレートの完成度が管理しやすくなる。
【０４５２】
更に、入力データの完成状況（変更しない割合がどのぐらいか等）に合わせて仕掛り中フラグの種類を変えることで、完成度だけでなく、入力されたデータの完成信頼度を見える形にすることができる。これにより、利用者は利用価値が高い情報を収集することができる。
【０４５３】
□仕掛り中フラグ（ＳＦ）の機能
仕掛り中フラグとは、仕様書入力テンプレート１２００（図１２）のデータ入力部（１２１４、１２１５、１２１６）に入力中の情報が未完成である（仕掛り中）であることを作成者が設定するものであり、作成者本人、及び自部門、他部門の関係者にその状況を示す機能である。
【０４５４】
また、仕掛り中フラグは入力した情報が未完成状態であることを示すのみだけでなく、未完成状態にレベルを設け、それごとに仕掛り中フラグを割り付けることで、未完成度（または、完成信頼度）を見分けることができる機能を兼ね備えている。
【０４５５】
更に、設計仕様書の縛り機能を基に、仕掛り中フラグの機能を利用し、システム等がその設定状況から作成順序番を変更する判断情報をして利用する機能である。
【０４５６】
例えば、仕掛り中フラグの表示形態（色、サイズ、形状等）として、例えば、仕掛り中フラグ（緑）、仕掛り中フラグ（黄）、仕掛り中フラグ（赤）の複数に分類する。仕掛り中フラグ（緑）は、完成信頼度が９０％の際に使用する。仕掛り中フラグ（黄）は、完成信頼度が６０％の際に使用する。仕掛り中フラグ（赤）は、完成信頼度が３０％以下の際に使用することを定めておく。
【０４５７】
これらの仕掛り中フラグから設計仕様書作成順序の縛りをスキップする機能、及び完成信頼度機能を利用し、作成したテンプレート、設計仕様書をトリガーにコンカレント活動を円滑に遂行することが可能となる。
【０４５８】
１．仕掛り中フラグのスキップ機能
設計仕様書を作成する中、必要なデータの収集が遅れることや早まることもある。設計仕様書の作成者の業務状況に応じて、迅速に対応できる仕組みを兼ね備える必要である。それが、仕掛り中フラグ（１２２０）を有する迂回方法としてのスキップ機能である。
【０４５９】
スキップ機能には、仕様書入力テンプレート作成順序のスキップと設計仕様書作成フェーズ作成順序のスキップがある。
【０４６０】
１−１．仕様書入力テンプレート項目の作成順序におけるスキップ機能
仕様書入力テンプレート作成順序のスキップ機能とは、予め決められた項目の作成順序をスキップする機能である。
【０４６１】
通常、各フェーズ・仕様書入力テンプレート１２００（図１２）を作成する際には、基本的には項目Ｎｏ．１２１２の順（表示順）に作成する。この時、スキップしたい内容の項目名１２１３の番になった場合には、対応するＳＦ欄１２１０に仕掛り中フラグのいずれかを作業名プルダウンメニューから選択し、設定する。いずれかの仕掛り中フラグがＳＦ欄１２１０に設定されることで、必須入力欄の仕様・機能１２１４に入力情報が入力されていなくても、入力されていても仮入力が完了したということで、次の項目Ｎｏ．１２１２の項目名１２１３に関する入力作業をはじめることができる。
【０４６２】
１−２．設計仕様書作成フェーズの作成順序におけるスキップ機能
設計仕様書作成フェーズ作成順序のスキップ機能とは、予め決められた作成フェーズの作成順序をスキップする機能である。
【０４６３】
通常、設計仕様書の各作成フェーズは、予め決められた作成手順に従い仕様書作成フェーズの表示の有無が制御される。そのため、基本仕様フェーズが完成しないと、設計条件フェーズが表示されない。次の仕様書作成フェーズに移行できないようにラジオボタンの表示有無が制御される。
【０４６４】
このような場合、基本仕様フェーズが完成していなくとも、基本仕様フェーズの未完成部分の項目すべてに、仕掛り中フラグを設定することで、基本仕様フェーズを仮完成させることができる。この状態にすることで、次の設計条件フェーズを表示することができる。
【０４６５】
２．完成信頼度のスキップ機能
設計仕様書を作成する中、各仕様書入力テンプレート１２００（図１２）に適切な仕掛り中フラグの設定を実施し、その設定した結果を利用することで、設計仕様書作成の進捗管理に利用することができる。また、自部門、他部門とのコンカレント活動に利用することができる。
【０４６６】
２−１．進捗管理への利用
例えば、項目１、項目２、項目３、項目４の構成の仕様書入力テンプレートを作成する際に、項目１には、データが入力され、仕掛り中フラグ（緑）が表示されている。また、項目２には、データが入力され、仕掛り中フラグ（黄）が表示されている。また、項目３には、データが入力され、仕掛り中フラグ（赤）が表示されている。また、項目４には、データの入力がなく、仕掛り中フラグが表示されていないとする。
【０４６７】
このような場合、データ入力の有無だけの進捗管理であれば、仕様書入力テンプレートが７５％（（３÷４）×１００）完成していることになる。しかし、その完成度（修正が発生しない頻度）が７５％相当なのか客観的に判断することができない。
【０４６８】
この点を改善するために、仕掛り中フラグ（緑）に０．９、仕掛り中フラグ（黄）に０．６、仕掛り中フラグ（赤）に０．３等の完成信頼度係数を割り付け、仕様書入力テンプレートの完成信頼度を計算する。すると、完成信頼度が４５％（（（０．９＋０．６＋０．３）÷４）×１００）になり、完成信頼度を数値で表示することができ、客観的な判断が可能になる。
【０４６９】
２−２．コンカレント活動への利用
自部門、他部門の関係者は、各仕様書入力テンプレート１２００（図１２）に設定された仕掛り中フラグの完成信頼度を確認することで、入力された情報を利用するタイミングを判断することができる。即ち、設計仕様書全体での完成を待たず、必要な情報の完成度を持って、自分たちの業務の遂行に役立てることができる。後戻りを無くすことができる。
【０４７０】
従って、作成したテンプレート、設計仕様書をトリガーにコンカレント活動を円滑に遂行することができる。
【０４７１】
□仕掛り中フラグ
仕掛り中フラグ１２２０は、作成中の仕様書の内容が未完成状態であることを各仕様書の項目ごとに本システムの利用者（作成者や閲覧者やシステム管理者）が把握するためのフラグである。また、仕掛り中フラグ１２２０は、仕様書作成の移行判定基準（縛り）のパラメータの一つになっている。
【０４７２】
※完成信頼度
完成信頼度１２１９は、作成中の仕様書の内容がどのぐらいの完成状態であるかを各仕様書の項目ごとに本システムの利用者（作成者や閲覧者やシステム管理者）が把握するための数値（９０％、若しくは６０％、若しくは３０％等）である。また、完成信頼度１２１９は、仕様書作成の移行判定基準（縛り）のパラメータの一つになっている。
【０４７３】
更に、図４０の完成信頼度の属性情報テーブルがある。これは、仕様書ごとで、重み付けされた項目と重み付けされていない項目での完成信頼度のポイント値、遅延時間等が変更できることを示している。これらの情報により、仕様書作成の移行判定基準（縛り）の種類を多くすることや、強化することや、進捗管理等に利用できる。
【０４７４】
または、３０％以下の完成信頼度で仕掛り中等を仕掛り中フラグと完成信頼度の機能を組合せることで、画面スペースや操作効率を上げることが可能である。
【０４７５】
※仕様書作成における作成順序の縛り
複数の仕様書からなる仕様書を作成する者は、その複数からなる仕様書の作成順序を予めサーバ３５０に登録されている図３４の仕様書入力テンプレートの作成情報テーブルから取得し、その作成順序に従い全体として一つ仕様書を完成させて行くことになる。
【０４７６】
※メニュー画面から仕様書選択画面の表示
この際、作成する仕様書を限定するために、利用者の情報処理端末３０１上に表示されるメニュー画面１０００（図１０）から仕様書作成フェーズを選択する。メニュー画面１０００（図１０）で選択された仕様書作成フェーズの情報は、利用者の情報処理端末３０１からネットワーク３００を経由し、サーバ３５０に送信される。
【０４７７】
サーバ３５０は、この選択情報等を基に、対応する図８の仕様書選択画面８００を生成する情報を内部記憶装置５０８から取得する。サーバ３５０は、取得した情報をネットワーク３００を経由し、利用者の情報処理端末３０１上に送信する。利用者の情報処理端末３０１上では、受信した仕様書選択画面の生成情報をＷｅｂブラウザ等により形成し、表示される。
【０４７８】
※仕様書選択画面から仕様書テンプレートの表示
次に、利用者の情報処理端末上で表示された仕様書選択画面８００（図８）では、機種名、サブシステム名、要素名等、何についての仕様書を作成するのかを更に限定する。限定に際しては、仕様書選択画面８００（図８）上に表示された機種名プルダウンメニュー１１０７、サブシステム名プルダウンメニュー１１０９、要素プルダウンメニュー１１１１等を用いて行なう。
【０４７９】
限定作業後、表示ボタン１１１３をクリックすることで、限定した仕様書入力テンプレート画面９００（図９）（この場合は、構想設計になっている）が利用者の情報処理端末３０１上に表示される。
【０４８０】
表示ボタン１１１３をクリックすることで、利用者の情報処理端末３０１上から選択情報がネットワーク３００を経由し、サーバ３５０に送信される。サーバ３５０は、この選択情報等を基に、対応する仕様書入力テンプレート画面９００（図９）（この場合は、構想設計になっている）を生成する情報を内部記憶装置５０８から取得する。
【０４８１】
仕様書入力テンプレート画面９００（図９）を生成する情報は、機種別サブシステム別等に用意された図３５の仕様書入力テンプレートの属性情報マスターテーブル、及び図３６の仕様書入力テンプレートの項目情報マスターテーブル、及び図３７の仕様書入力テンプレートの属性入力データテーブル、及び図３８の仕様書入力テンプレートのフラグ入力データテーブル等により取得される。
【０４８２】
例えば、構想設計フェーズ・仕様書入力テンプレート画面９００（図９）において、先にメニュー画面１０００（図１０）で選択された仕様書作成フェーズの情報は、構想設計になる。そして、この構想設計をキーに、図３４の仕様書入力テンプレートの作成情報テーブルから仕様書管理番号のＣを検索し、この仕様書管理番号のＣを基に、表の横方向に関する仕様・機能１２１４、考え方、懸案事項１２１５、関連のＭ、Ｐ、ＥＨ、Ｓ、Ｃ、Ａｃ１２１６の属性情報を図３５の仕様書入力テンプレートの属性情報マスターテーブル等から取得する。
【０４８３】
次に、表の縦方向に関する項目Ｎｏ．１２１２、項目名１２１３の項目情報を図３６の仕様書入力テンプレートの項目情報マスターテーブル等から取得する。次に、各項目ごとに入力された属性データは、図３７の仕様書入力テンプレートの属性入力データテーブル等から取得する。次に、各項目ごとの属性データに割り付けられた吹出しフラグ１２０９、仕掛り中フラグ１２１０、完成信頼度フラグ１２１１の情報は、図３８の仕様書入力テンプレートのフラグ入力データテーブル等から取得する。
【０４８４】
※仕掛り中フラグの設定と削除
利用者の情報処理端末３０１上に表示された図９の構想設計フェーズ・仕様書入力テンプレート画面に仕掛り中フラグを設定（表示）する場合には、設定（表示）する項目と同じ行のＳＦ欄１２１０をチェックし（ステップＳ２６０１）、作業名プルダウンメニュー１２０２から仕掛り中設定を選択し（ステップＳ２６０２、ステップＳ２６０３）、実行ボタン１２０３をマウスクリックする（ステップＳ２６０４）。
【０４８５】
この際、設定情報は、ネットワーク３００を経由し、サーバ３５０に送信される。設定情報を受信したサーバ３５０は、この設定情報を図３８の仕様書入力テンプレートのフラグ入力データテーブルの仕掛り中フラグ有無の内容に反映させる。
【０４８６】
例えば、項目Ｎｏ．１２１２のＣ０００１が選択されていれば、この仕掛り中フラグ有無を１にする。設定後、サーバ３５０は再度、図９の構想設計フェーズ・仕様書入力テンプレート画面を生成する情報を利用者の情報処理端末３０１上に送信する。送信された利用者の情報処理端末３０１上では、選択した行のＳＦ欄１２１０に仕掛り中フラグ１２２０のアイコンが設定（表示）される。
【０４８７】
また、設定（表示）されている仕掛り中フラグを解除（削除）する場合には、仕掛り中フラグが設定（表示）されている項目と同じ行のＳＦ欄１２１０をチェックし（ステップＳ２６０１）、作業名プルダウンメニュー１２０２から仕掛り中解除を選択し（ステップＳ２６０６）、実行ボタン１２０３をマウスクリックする（ステップＳ２６０７）。
【０４８８】
この際、削除情報は、ネットワーク３００を経由し、サーバ３５０に送信される。受信したサーバ３５０は、この削除情報を図３８の仕様書入力テンプレートのフラグ入力データテーブルの仕掛り中フラグ有無の内容に反映させる。
【０４８９】
例えば、項目Ｎｏ．１２１２のＣ０００１が選択されていれば、この仕掛り中フラグ有無を０にする。設定後、サーバ３５０は再度、図９の構想設計フェーズ・仕様書入力テンプレート画面を生成する情報を利用者の情報処理端末３０１上に送信する。送信された利用者の情報処理端末３０１上では、選択した行のＳＦ欄１２１０に仕掛り中フラグ１２２０のアイコンが設定されていれば（ステップＳ２６０８）、設定（表示）されている仕掛り中フラグ１２２０が解除（削除）される（ステップＳ２６０９）。
【０４９０】
※完成信頼度の設定と削除
利用者の情報処理端末３０１上に表示された構想設計フェーズ・仕様書入力テンプレート画面９００（図９）に完成信頼度を設定（表示）する場合には、設定（表示）する項目と同じ行のＫＳ欄１２１１をチェックし（ステップＳ２７０１）、作業名プルダウンメニュー１２０２から完成信頼度設定（３０％）（ステップＳ２７０３）、若しくは完成信頼度設定（６０％）（ステップＳ２７０６）、若しくは完成信頼度設定（９０％）（ステップＳ２７０９）を選択し、実行ボタン１２０３をマウスクリックする（ステップＳ２７０４、若しくはステップＳ２７０７、若しくはステップＳ２７１０）。
【０４９１】
これにより、選択したＫＳ欄１２１１に完成信頼度の数値の９０％、６０％、３０％のいずれかが表示される（ステップＳ２７１１、ステップＳ２７０８、ステップＳ２７０５）。
【０４９２】
この際、設定情報は、ネットワーク３００を経由し、サーバ３５０に送信される。設定情報を受信したサーバ３５０は、この設定情報を図３８の仕様書入力テンプレートのフラグ入力データテーブルの完成信頼度の内容に反映させる。例えば、項目Ｎｏ．１２１２のＣ０００１が選択され、かつ完成信頼度（９０％）が選択さていれば、この完成信頼度を９０にする。
【０４９３】
設定後、サーバ３５０は再度、図９の構想設計フェーズ・仕様書入力テンプレート画面を生成する情報を利用者の情報処理端末３０１上に送信する。送信された利用者の情報処理端末３０１上では、選択した行のＫＳ欄１２１１に完成信頼度１２１９の９０％用のアイコンが設定（表示）される。
【０４９４】
また、設定（表示）されている完成信頼度（３０％、若しくは６０％、若しくは９０％）を解除（削除）する場合には、完成信頼度（３０％、若しくは６０％、若しくは９０％）が設定（表示）されている項目と同じ行のＫＳ欄１２１１をチェックし（ステップＳ２７０１）、作業名プルダウンメニュー１２０２から完成信頼度解除を選択し（ステップＳ２７１２）、実行ボタン１２０３をマウスクリックする（ステップＳ２７１３）。
【０４９５】
この際、削除情報は、ネットワーク３００を経由し、サーバ３５０に送信される。削除情報を受信したサーバ３５０は、この削除情報を図３８の仕様書入力テンプレートのフラグ入力データテーブルの完成信頼度の内容に反映させる。例えば、項目Ｎｏ．１２１２のＣ０００１が選択され、かつ完成信頼度（９０％）が既に設定（表示）されていれば、この完成信頼度を１００％にする。若しくは未入力状態に戻す。
【０４９６】
設定後、サーバ３５０は再度、図９の構想設計フェーズ・仕様書入力テンプレート画面を生成する情報を利用者の情報処理端末３０１上に送信する。送信された利用者の情報処理端末３０１上では、選択した行のＫＳ欄１２１１に完成信頼度１２１９の９０％用のアイコンが設定されていればＳ２７１４、設定（表示）されている完成信頼度１２１９の９０％用のアイコンが解除（削除）される。
【０４９７】
※移行処理
この際、複数の仕様書間の移行を限定する内容は、図３４の仕様書入力テンプレートの作成情報テーブルに仕様書ごとに登録されている移行判定基準（縛り）、及び図３９の仕様書入力テンプレートの移行判定テーブル等により判定される。
【０４９８】
この移行判定基準（縛り）等は、サーバ３５０の内部記憶装置５０８に保存されているテーブルに記憶されている。
【０４９９】
例えば、構想設計フェーズ・仕様書入力テンプレート画面９００（図９）の場合には、図３４の仕様書入力テンプレートの作成情報テーブルから仕様書管理番号のＣ、若しくは仕様書入力テンプレート名の構想設計を基に、移行判定基準が何かを取得することできると共に、仕様書の構成や作成順序、構想設計の前後の仕様書が何か、作成順序の移行可否状況等の作成情報を取得することができる（ステップＳ２９０２）。
【０５００】
この場合は、図３４の構想設計の移行判定基準が３と登録されている。これを基に、予めサーバ３５０に登録されている図３９の仕様書入力テンプレートの移行判定テーブルから移行判定基準が３と等しい属性情報入力条件、仕掛り中フラグ設定条件、完成信頼度入力条件、吹出しフラグ設定条件の移行判定条件の情報を取得する（ステップＳ２９０３）。
【０５０１】
図３４の移行判定基準と図３９の移行判定テーブルの連携を持たせることで、図３９の移行判定テーブルにいろいろな移行判定基準を登録させることができ、かつ仕様書ごとの移行判定の内容変更に迅速な対応が可能となる。
【０５０２】
この場合の移行処理を図２９の移行処理の流れを示すフローチャートで確認すると、以下の４つの条件が必要となる。
【０５０３】
１）属性情報入力条件では、項目の重み指定有りになっている全ての属性に何らかのデータが入力済みである（ステップＳ２９０４）。
【０５０４】
２）仕掛り中フラグ設定条件では、未入力の属性がある項目には仕掛り中フラグが設定されている（ステップＳ２９０５）。
【０５０５】
３）完成信頼度入力条件では、構想設計全体での完成信頼度が９０％以上ある（ステップＳ２９０６）。
【０５０６】
４）吹出しフラグ設定条件では、構想設計全体で吹出しフラグの質問待ち、または承認済みのみが表示されている（ステップＳ２９０７）。
【０５０７】
これら４つの条件を満たしている場合には、サーバ３５０に登録されている構想設計の移行判定基準が満足するので、図３４の構想設計の作成担当者、及び次の仕様書テンプレート（詳細設計）の作成者等に移行する旨の通知を行なう（ステップＳ２９０８）。
【０５０８】
尚、上記の４つの条件は一例であり、例えば、以下のような条件で、移行判定基準に基づく移行判定を行っても良い。
【０５０９】
ａ）全ての項目に対する全ての質問の回答が承認されている場合には、仕様書の移行判定基準を満足すると判定する。
【０５１０】
ｂ）承認された回答に対する質問の重要度ランクのポイント値が所定値以上を超えている場合には、仕様書の移行判定基準を満足すると判定する。
【０５１１】
ｃ）承認された回答に対する質問の情報分類の重み付けのポイント値が所定値以上を超えている場合には、仕様書の移行判定基準を満足すると判定する。
【０５１２】
ｄ）質問の重要度ランクのポイント値が所定値以上を超えた質問の回答が、所定数以上を超えて承認されている場合には、仕様書の移行判定基準を満足すると判定する。
【０５１３】
ｅ）質問の情報分類の重み付けのポイント値が所定値以上を超えた質問の回答が、所定数以上を超えて承認されている場合には、仕様書の移行判定基準を満足すると判定する。
【０５１４】
ｆ）重み付けされた項目に対する全ての質問の回答が承認されている場合には、仕様書の移行判定基準を満足すると判定する。
【０５１５】
次に、図３４の詳細設計の作成順序移行可否のデータを否から可に変更する等の次の仕様書入力テンプレート（詳細設計）への移行を許容する旨の設定を行なう（ステップＳ２９０９）。更に、メニュー画面１０００（図１０）から次の仕様書入力テンプレート（詳細設計）が選択された場合には、次の仕様書入力テンプレート（詳細設計）に対する仕様書選択画面１１００（図１１）が表示される。
【０５１６】
そして、上記の４つの条件を満たしていない場合には、サーバ３５０に登録されている構想設計の移行判定基準が満足しないので、次の仕様書入力テンプレート（詳細設計）の移行予定、若しくは移行猶予日、若しくは移行遅延日、若しくは移行限界日の旨の通知を行なう。
【０５１７】
この際、移行予定、移行猶予日、移行遅延日は、現在日時をサーバ３５０のシステム日時から取得し、先に取得した構成設計の仕様書管理記号のＣを基に、図４４の仕様書入力テンプレートの作成予定実績テーブルから作成開始予定日、作成開始終了日を取得することで算出する。
【０５１８】
移行限界日は、更に図４５の製品情報テーブルから仕様書作成機種名、サブシステム名を基に、従来機から同じサブシステム名、製品タイプ、部品点数等の情報からその製品規模を取得する。その従来機の各仕様書の作成実績がいつ頃かを取得することで、いつ頃までが限界日かを算出する。
【０５１９】
仕様書作成者や製品設計者を検索キーに加えることで、より制度の高い限界日を通知することができる。更に、メニュー画面１０００（図１０）から次の仕様書入力テンプレート（詳細設計）が選択された場合には、移行ロックメッセージ画面１６００（図１６）が表示される。その他に、移行ロックメッセージ画面１６００（図１６）を表示せずに、メニュー画面１０００（図１０）での対応が行なえる。
【０５２０】
例えば、メニュー画面１０００（図１０）の仕様書作成のリスト項目１００１から次の仕様書入力テンプレート（詳細設計）が選択できないように非表示にする等である。
【０５２１】
これらの基本的な操作方法や仕組みは、基本仕様、設計条件、構想設計、詳細設計で共通である。
【０５２２】
□吹出し機能
※吹出しフラグ
吹出しフラグは、作成中の仕様書の内容に対する質疑応答の状態、内容等を各仕様書の項目ごとに本システムの利用者（作成者や閲覧者やシステム管理者）が把握するためのアイコン（質問待ち１２２１、回答待ち１２２２、確認待ち１２２３、承認済み１２２４）である。また、吹出しフラグは、仕様書作成の移行判定基準（縛り）のパラメータの一つになっており、そのパラメータに対応する表示形態（色、形状、サイズ等）が、各状態（承認済み、確認待ち、回答待ち、質問待ち等）が互いに識別可能となるように設定されている。
【０５２３】
例えば、表示形態としては、以下のようなものが考えられる。
【０５２４】
ＦＦ欄１２０９中の吹出しフラグ（質問待ち、回答待ち、確認待ち、承認済み）の発生状況の組合せで、各吹出しフラグに対応するアイコン（質問待ち１２２１、回答待ち１２２２、確認待ち１２２３、承認済み１２２４）の表示形態（色、形状、サイズ等）を変更する。
【０５２５】
具体的には、ＦＦ欄１２０９中に回答待ちと確認待ちの吹出しフラグが他の吹出しフラグより所定数以上発生していたり、表示期間の経過時間が所定時間以上である場合には、対応する回答待ち１２２２、確認待ち１２２３のアイコンを赤色と黄色で交互に切り替えて表示する。あるいは、アイコンのサイズを大と小に交互に切り替えて表示する。あるいは、アイコンの色と形を交互に切り替えて表示する。あるいは、アイコンの濃度を濃淡に交互に切り替えて表示する。
【０５２６】
これ以外も、用途や目的に応じて、アイコンの表示形態を適宜変更できることは言うまでもない。
【０５２７】
更に、図４１の吹出しフラグの属性情報テーブルがある。これは、仕様書ごとで、重み付けされた項目と重み付けされていない項目での吹出しフラグのポイント値、遅延時間、発生件数等が変更できることを示している。これらの情報により、仕様書作成の移行判定基準（縛り）の種類を多くすることや、強化することや、進捗管理等に利用できる。
【０５２８】
また、図４２の質問の重要度ランクテーブルがある。これは、仕様書ごとで、重み付けされた項目と重み付けされていない項目での質問情報の分類や、ポイント値、遅延時間、発生件数等が変更できることを示している。これらの情報により、仕様書作成の移行判定基準（縛り）の種類を多くすることや、強化することや、質問発信の自動化等に利用できる。
【０５２９】
例えば、重要度が大の場合でも、その重み付けの有無で、そのポイント値が６あるいは５が付けられる。
【０５３０】
また、図４３の質問の情報分類ランクテーブルがある。これは、仕様書ごとで、重み付けされた項目と重み付けされていない項目での質問情報の分類（機能別分類（画像、強度、性能、ソフト等）と原因別分類（図面ミス、作業性、加工性、コスト、外観、操作性、安全性、サービス性等））や、ポイント値、遅延時間、発生件数等が変更できることを示している。これらの情報により、仕様書作成の移行判定基準（縛り）の種類を多くすることや、強化することや、質問発信の自動化等に利用できる。
【０５３１】
※吹出しフラグ（質問待ち）の設定
質問待ち１２２１は、例えば、利用者の情報処理端末上に表示された構想設計フェーズ・仕様書入力テンプレート画面９００（図９）のＦＦ欄１２０９に設定（表示）される。この質問待ち１２２１は、予め全ての項目Ｎｏ．１２１２に対応するＦＦ欄１２０９に設定される。この質問待ち１２２１のアイコンは、外形を有する半透明アイコン等で形成され、本システムが利用者（質問者）からの質問を持っている状態であることを示している（ステップＳ２８０１、Ｓ２８０３）。
【０５３２】
尚、この質問待ち１２２１のアイコンをクリックすることで、吹出し入力画面が表示されることになるが、例えば、仕様書の入力項目の完成信頼度の数値に応じて、つまり、完成信頼度の数値が所定値未満の場合は、このクリックを禁止するように制御しても良い。
【０５３３】
例えば、作成中の仕様書の項目の完成信頼度が６０％未満の場合には、質問の入力を禁止し、完成信頼度が６０％以上の場合には、質問の入力を受付けるようにしても良い。
【０５３４】
※質問事項の入力
始めての質問が発生した状況に際し、利用者（質問者）は、利用者の情報処理端末上に表示された構想設計フェーズ・仕様書入力テンプレート画面１２００（図１２）のＦＦ欄１２０９に設定（表示）されている質問待ち１２２１をクリックする（ステップＳ２８０３）。これにより、吹出し入力画面１４００（図１４）が表示される（ステップＳ２８０４）。最低限、タイトル１４０４と質問者記入欄１４１４に質問事項を入力する。
【０５３５】
この際、必要があれば回答者を指定する回答者指定プルダウンメニュー１４０６を利用する。また、必要があれば承認者を指定する承認者指定プルダウンメニュー１４０７を利用する。また、必要があれば質問の機能別分類を指定する機能別分類プルダウンメニュー１４０８を利用する。また、必要があれば質問の原因別分類を指定する原因別分類プルダウンメニュー１４０９を利用する。また、必要があれば質問の重要度を指定する重要度プルダウンメニュー１４１３を利用する。
【０５３６】
登録しないのであれば、キャンセルボタン１４１６をクリックする。これにより、入力したタイトル１４０４と質問者記入欄１４１４の質問事項を消去する。登録するのであれば、登録ボタン１４１５をクリックする。これにより、サーバ３５０の内部記憶装置５０８に記憶させ、質問事項の表示欄１４０５に表示させる。この作業を繰り返すことで、同じ項目Ｎｏ．１４０２の同じ項目名１４０３に複数の質問を登録することができる。
【０５３７】
但し、別の利用者には、質問が入力されたのか、この状態では判断できない。閉じるボタン１４１７をクリックし、この画面を閉じることで、別の利用者に質問が入力されたことが判断できる。選択した項目のＦＦ欄１２０９に回答待ち１２２２が設定（表示）される。
【０５３８】
また、登録した質問（質問ＩＤごと）に対し、回答者からの回答入力が登録されない限り、質問を投げかけた利用者は削除することが可能である。この場合の削除は、吹出し表示画面１５００（図１５）から実行することになる。例えば、削除というボタンが１５０８に表示されている。
【０５３９】
２件目以降の質問が発生した状況に際し、利用者の情報処理端末３０１上に表示された構想設計フェーズ・仕様書入力テンプレート画面１２００（図１２）の設定（表示）する項目と同じ行のラジオボタン欄１２０８をチェックし、作業名プルダウンメニュー１２０２から吹出し入力を選択し、実行ボタン１２０３をマウスクリックする。以下、始めての質問が発生した状況と同様である。
【０５４０】
※質問発信の自動化
サーバ３５０上のシステムは、図３４の仕様書入力テンプレートの作成情報テーブルから機種別サブシステム別に仕様書が作成編集できるものを取得する。次に、この編集可能の仕様書の中で、図３６の仕様書入力テンプレートの項目情報マスターテーブルの発信ＳＷ（スイッチ）がＯＮになっている、かつ図３８の仕様書入力テンプレートのフラグ入力データテーブルの吹出し実績状況で質問がない場合に、この編集可能の仕様書と同規模で、かつ同時期で、かつ同じ仕様書で、かつ同じ項目に関する吹出し情報を図４６の吹出し履歴データテーブルから取得する。次に、ここから同じタイトルの同じ質問内容とその回答内容を取得し、質問情報及び回答情報として登録する。尚、この時の作成者はシステム管理者となる。
【０５４１】
これにより、見逃しがちな質問や慣習的な質問とその回答を、サーバ３５０が自動的に発信することができる。
【０５４２】
※吹出しフラグ（回答待ち）の設定
回答待ち１２２２は、例えば、利用者の情報処理端末上に表示された構想設計フェーズ・仕様書入力テンプレート画面１２００（図１２）のＦＦ欄１２０９に設定（表示）される。この回答待ち１２２２は、質問情報が入力された項目Ｎｏ．１２１２に対応するＦＦ欄１２０９に設定される。この回答待ち１２２２のアイコンは、本システムが利用者（回答者）からの回答を持っている状態であることを示している（ステップＳ２８０７）。
【０５４３】
※回答事項の入力
回答待ち１２２２をクリックすると（ステップＳ２８０７）、吹出し表示画面１５００（図１５）が表示される。回答事項を入力する質問タイトルをタイトルプルダウンメニュー１５０４から選択する。これにより、選択したタイトルの質問事項を質問表示欄１５０６に表示する。また、既にいくつかの回答が入力されていれば、回答表示欄１５０７に表示される。また、新規に回答を入力する場合には、回答者記入欄１５１１に回答事項を入力する。
【０５４４】
登録しないのであれば、キャンセルボタン１５１３をクリックする。これにより、入力した回答者記入欄１５１１の回答事項を消去する。登録するのであれば、登録ボタン１５１２をクリックする。これにより、サーバ３５０の内部記憶装置５０８に記憶させ、回答事項の表示欄１５０７に表示させる。この作業を繰り返すことで、同じ項目Ｎｏ．１５０２の同じ項目名１５０３の同じ質問タイトル１５０４に複数の回答を登録することができる。
【０５４５】
但し、別の利用者には、回答が入力されたのか、この状態では判断できない。閉じるボタン１５１４をクリックし、この画面を閉じることで、別の利用者に回答が入力されたことが判断できる。選択した項目のＦＦ欄１２０９に確認待ち１２２３が設定（表示）される。
【０５４６】
また、登録した回答（回答ＩＤごと）に対し、質問者からの承認入力が登録されない限り、回答を入力した利用者は削除することが可能である。この場合の削除は、吹出し表示画面１５００（図１５）から実行することになる。例えば、削除というボタンが１５０９に表示されている。
【０５４７】
※吹出しフラグ（確認待ち）の設定
確認待ち１２２３は、例えば、利用者の情報処理端末上に表示されたの構想設計フェーズ・仕様書入力テンプレート画面１２００（図１２）のＦＦ欄１２０９に設定（表示）される。この確認待ち１２２３は、質問情報に対する回答情報が入力された項目Ｎｏ．１２１２に対応するＦＦ欄１２０９に設定される。この確認待ち１２２３のアイコンは、本システムが利用者（質問者）からの承認を持っている状態であることを示している（ステップＳ２８１３）。
【０５４８】
※承認事項の入力
基本的には、回答事項の入力と同様の方法で入力する。
【０５４９】
※承認作業の省略
質問を入力する場合には、吹出し入力画面１４００（図１４）を利用する。この際、必要があれば回答者を指定することができる。ここで、回答者を指定すると、指定した質問に対し、その回答者が回答を登録したかを判断し（ステップＳ２８１０）、回答指定者の回答が登録された時点で、質問者の承認作業を省略し（ステップＳ２８１３〜Ｓ２８１５）、吹出しフラグの回答待ちを承認済みに変更する（ステップＳ２８１６）。
【０５５０】
※吹出しフラグ（承認済み）の設定
承認済み１２２４は、例えば、利用者の情報処理端末上に表示された構想設計フェーズ・仕様書入力テンプレート画面１２００（図１２）のＦＦ欄１２０９に設定（表示）される。この承認済み１２２４は、質問情報に対する承認情報が入力された項目Ｎｏ．１２１２に対応するＦＦ欄１２０９に設定される。この承認済み１２２４のアイコンは、本システムが利用者（質問者）からの承認が得られた状態であることを示している（ステップＳ２８１３）。
【０５５１】
※承認済みの表示
承認済み１２２４をクリックすると（ステップＳ２８１３）、吹出し表示画面１５００（図１５）が表示され（ステップＳ２８１７）、質問事項、回答事項等を確認することができる。
【０５５２】
これらの基本的な操作方法や仕組みは、基本仕様、設計条件、構想設計、詳細設計で共通である。
【０５５３】
以上説明したように、本実施形態によれば、仕様書の枠組みとその利用方法に予め決められた縛りを提供することにより、作成者においては、仕様書の作成手順を規制されながも、作成者の利便性が維持され、経験に頼らず均質な品質の仕様書を作成することができる。また、見落としをなくし、後戻りがなくなる。また、利用者においては、信頼性が高く、利用価値の高い仕様書を、迅速に利用することができる。更に、モノ作りをコンカレンシーに進められ、モノ作りの進捗が誰にでも見せることができる。
【０５５４】
以上、実施形態例を詳述したが、本発明は、複数の機器から構成されるシステムに適用しても良いし、また、一つの機器からなる装置に適用しても良い。
【０５５５】
尚、本発明は、前述した実施形態の機能を実現するソフトウェアのプログラム（実施形態では図に示すフローチャートに対応したプログラム）を、システム或いは装置に直接或いは遠隔から供給し、そのシステム或いは装置のコンピュータが該供給されたプログラムコードを読み出して実行することによっても達成される場合を含む。
【０５５６】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０５５７】
その場合、プログラムの機能を有していれば、オブジェクトコード、インタプリタにより実行されるプログラム、ＯＳに供給するスクリプトデータ等、プログラムの形態を問わない。
【０５５８】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０５５９】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザーに対してダウンロードさせるＷＷＷサーバも、本発明に含まれるものである。
【０５６０】
また、本発明のプログラムを暗号化してＣＤ−ＲＯＭ等の記憶媒体に格納してユーザーに配布し、所定の条件をクリアしたユーザーに対し、インターネットを介してホームページから暗号化を解く鍵情報をダウンロードさせ、その鍵情報を使用することにより暗号化されたプログラムを実行してコンピュータにインストールさせて実現することも可能である。
【０５６１】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０５６２】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【０５６３】
【発明の効果】
以上説明したように、本発明によれば、仕様書の効率的に作成することができる仕様書作成支援装置及びその制御方法、仕様書作成支援システム、プログラムを提供できる。
【図面の簡単な説明】
【図１】従来の仕様書の構成を示す図である。
【図２】仕様書の作成タイミングチャートを示す図である。
【図３】本実施形態の設計仕様書作成支援システム全体の構成を示す図である。
【図４】本実施形態の情報処理端末の構成を示すブロック図である。
【図５】本実施形態のサーバの構成を示すブロック図である。
【図６】本実施形態のＤ．Ｄ．Ｓ．Ｓにおける設計仕様書の内容（本文）における各作成フェーズでの作成手順と使用するデータ類の構成を示す図である。
【図７】本実施形態の利用者権限別機能テーブルを示す図である。
【図８】本実施形態のＤ．Ｄ．Ｓ．Ｓのログイン画面を示す図である。
【図９】本実施形態のＤ．Ｄ．Ｓ．Ｓのお知らせ画面を示す図である。
【図１０】本実施形態のＤ．Ｄ．Ｓ．Ｓのメニュー画面を示す図である。
【図１１】本実施形態のＤ．Ｄ．Ｓ．Ｓの仕様書選択画面を示す図である。
【図１２】本実施形態のＤ．Ｄ．Ｓ．Ｓの仕様書入力テンプレート画面を示す図である。
【図１３】本実施形態のＤ．Ｄ．Ｓ．Ｓのデータ入力画面を示す図である。
【図１４】本実施形態のＤ．Ｄ．Ｓ．Ｓの吹出し入力画面を示す図である。
【図１５】本実施形態のＤ．Ｄ．Ｓ．Ｓの吹出し表示画面を示す図である。
【図１６】本実施形態の移行ロックメッセージ画面を示す図である。
【図１７】本実施形態のログイン画面におけるログインするための処理の流れを示すフローチャートである。
【図１８】本実施形態のお知らせ画面におけるお知らせの処理の流れを示すフローチャートである。
【図１９】本実施形態のメニュー画面におけるメニューの処理の流れを示すフローチャートである。
【図２０】本実施形態の詳細設計フェーズ・仕様書選択画面における詳細設計選択の処理の流れを示すフローチャートである。
【図２１】本実施形態の詳細設計フェーズ・仕様書選択画面における詳細設計選択の処理の流れを示すフローチャートである。
【図２２】本実施形態の詳細設計フェーズ・仕様書選択画面における詳細設計選択の処理の流れを示すフローチャートである。
【図２３】本実施形態の詳細設計フェーズ・仕様書選択画面における詳細設計選択の処理の流れを示すフローチャートである。
【図２４】本実施形態の構想設計フェーズ・仕様書入力テンプレート画面における構想設計の処理の流れを示すフローチャートである。
【図２５】本実施形態の構想設計フェーズ・仕様書入力テンプレート画面における構想設計の処理の流れを示すフローチャートである。
【図２６】本実施形態の構想設計フェーズ・仕様書入力テンプレート画面における構想設計の処理の流れを示すフローチャートである。
【図２７】本実施形態の構想設計フェーズ・仕様書入力テンプレート画面における構想設計の処理の流れを示すフローチャートである。
【図２８】本実施形態の構想設計フェーズ・仕様書入力テンプレート画面における構想設計の処理の流れを示すフローチャートである。
【図２９】本実施形態の構想設計フェーズ・仕様書入力テンプレート画面における構想設計の処理の流れを示すフローチャートである。
【図３０】本実施形態のデータ入力画面におけるデータ入力、登録の処理の流れを示すフローチャートである。
【図３１】本実施形態の吹出し入力画面における吹出し情報の処理の流れを示すフローチャートである。
【図３２】本実施形態の吹出し表示画面における吹出し情報の処理の流れを示すフローチャートである。
【図３３】本実施形態の移行ロックメッセージ画面における操作の処理の流れを示すフローチャートである。
【図３４】本実施形態の仕様書入力テンプレートの作成情報テーブルを示す図である。
【図３５】本実施形態の仕様書入力テンプレートの属性情報マスターテーブルを示す図である。
【図３６】本実施形態の仕様書入力テンプレートの項目情報マスターテーブルを示す図である。
【図３７】本実施形態の仕様書入力テンプレートの属性入力データテーブルを示す図である。
【図３８】本実施形態の仕様書入力テンプレートのフラグ入力データテーブルを示す図である。
【図３９】本実施形態の仕様書入力テンプレートの移行判定テーブルを示す図である。
【図４０】本実施形態の完成信頼度の属性情報テーブルを示す図である。
【図４１】本実施形態の吹出しフラグの属性情報テーブルを示す図である。
【図４２】本実施形態の質問の重要度ランクテーブルを示す図である。
【図４３】本実施形態の質問の情報分類ランクテーブルを示す図である。
【図４４】本実施形態の仕様書入力テンプレートの作成予定実績テーブルを示す図である。
【図４５】本実施形態の製品情報テーブルを示す図である。
【図４６】本実施形態の吹出し情報履歴テーブルを示す図である。
【図４７】本実施形態の仕様書入力テンプレートの連携情報マスターテーブルを示す図である。
【符号の説明】
３００　ネットワーク
３０１〜３０３　情報処理端末
３５０　サーバ
４０１、５０１　ＣＰＵ
４０２、５０２　入力部
４０３、５０３　出力部
４０４、５０４　外部記憶装置
４０５、５０５　ＲＯＭ
４０６、５０６　ＲＡＭ
４０７、５０７　ネットワークインターフェース
４０８、５０８　内部記憶装置
４０９、５０９　バス
【図１】
2004054415.tif 000003
【図２】
2004054415.tif 000004
【図３】
2004054415.tif 000005
【図４】
2004054415.tif 000006
【図５】
2004054415.tif 000007
【図６】
2004054415.tif 000008
【図７】
2004054415.tif 000009
【図８】
2004054415.tif 000010
【図９】
2004054415.tif 000011
【図１０】
2004054415.tif 000012
【図１１】
2004054415.tif 000013
【図１２】
2004054415.tif 000014
【図１３】
2004054415.tif 000015
【図１４】
2004054415.tif 000016
【図１５】
2004054415.tif 000017
【図１６】
2004054415.tif 000018
【図１７】
2004054415.tif 000019
【図１８】
2004054415.tif 000020
【図１９】
2004054415.tif 000021
【図２０】
2004054415.tif 000022
【図２１】
2004054415.tif 000023
【図２２】
2004054415.tif 000024
【図２３】
2004054415.tif 000025
【図２４】
2004054415.tif 000026
【図２５】
2004054415.tif 000027
【図２６】
2004054415.tif 000028
【図２７】
2004054415.tif 000029
【図２８】
2004054415.tif 000030
【図２９】
2004054415.tif 000031
【図３０】
2004054415.tif 000032
【図３１】
2004054415.tif 000033
【図３２】
2004054415.tif 000034
【図３３】
2004054415.tif 000035
【図３４】
2004054415.tif 000036
【図３５】
2004054415.tif 000037
【図３６】
2004054415.tif 000038
【図３７】
2004054415.tif 000039
【図３８】
2004054415.tif 000040
【図３９】
2004054415.tif 000041
【図４０】
2004054415.tif 000042
【図４１】
2004054415.tif 000043
【図４２】
2004054415.tif 000044
【図４３】
2004054415.tif 000045
【図４４】
2004054415.tif 000046
【図４５】
2004054415.tif 000047
【図４６】
2004054415.tif 000048
【図４７】
2004054415.tif 000049